(57)【要約】【課題】普通機と称されるパチンコ遊技機において、複数の入賞装置への入賞順序の適否を報知する。また、該報知により遊技者にとって有利となる入賞順序の学習を可能にして、遊技者が遊技を行いながら興趣を持って遊技方法を習得できるパチンコ遊技機を提供する。【解決手段】    遊技球の入球しやすい拡開状態と、遊技球の入球しにくい閉鎖状態を備えた複数の入賞装置を有するパチンコ遊技機において、遊技球が複数の進入穴へ進入した時および入賞装置へ入賞した時に、入賞装置の拡開状態と閉鎖状態とを変換する変換機構と、遊技球が複数の進入穴および入賞装置のいずれか１つに進入および入賞した場合においては、該複数の進入穴および入賞装置への進入順序またはおよび入賞順序が遊技者にとって有利かどうかについて異なった役物の動作態様によって報知する報知手段を備えたパチンコ遊技機。【選択図】図１８
2010125078.tif 000002
【特許請求の範囲】
【請求項１】
遊技球の入球しやすい拡開状態と、遊技球の入球しにくい閉鎖状態を備えた複数の入賞装置を有するパチンコ遊技機において、
遊技球が複数の進入穴へ進入した時および入賞装置へ入賞した時に、入賞装置の拡開状態と閉鎖状態とを変換する変換機構と、
遊技球が複数の進入穴および入賞装置のいずれか１つに進入および入賞した場合においては、該複数の進入穴および入賞装置への進入順序またはおよび入賞順序が遊技者にとって有利かどうかについて異なった役物の動作態様によって報知する報知手段から成る
ことを特徴とするパチンコ遊技機。
【請求項２】
遊技球の入球しやすい拡開状態と、遊技球の入球しにくい閉鎖状態を備えた複数の入賞装置を有するパチンコ遊技機において、
遊技球が複数の進入穴へ進入した時および入賞装置へ入賞した時に、入賞装置の拡開状態と閉鎖状態とを変換する変換機構と、
遊技球の複数の進入穴からの進入および入賞装置への入賞を検知して、検知情報を出力する検知手段と、
検知手段の検知出力に基づき前記複数の進入穴への進入順序またはおよび前記入賞装置への入賞順序の適否について役物の動作態様によって報知する報知手段を備えた
ことを特徴とするパチンコ遊技機。
【請求項３】
請求項１または請求項２において、
遊技球の前記入賞装置への入賞順序の適否に応じて前記報知手段によって報知される役物の動作態様を任意のタイミング、役物の動作態様の種類またはおよび順序で設定する報知順序設定手段を備えた
ことを特徴とするパチンコ遊技機。
【請求項４】
請求項１ないし請求項３のいずれかにおいて、
遊技球の前記複数の進入穴への進入または前記入賞装置への入賞のタイミングに同期して前記報知順序設定手段が作動する
ことを特徴とするパチンコ遊技機。
【請求項５】
請求項１ないし請求項４のいずれかにおいて、
前記入賞装置への入賞により獲得する賞球数が遊技者にとって有利となる順序で入賞した場合には、前記入賞順序の適否に応じた順序の役物の動作態様が互いに関連して違和感のない役物の動作態様を形成するように構成されている
ことを特徴とするパチンコ遊技機。
【請求項６】
遊技球の入球しやすい拡開状態と、遊技球の入球しにくい閉鎖状態を備えた複数の入賞装置を有するパチンコ遊技機において、
遊技球が複数の進入穴へ進入した時および入賞装置へ入賞した時に、入賞装置の拡開状態と閉鎖状態とを変換する変換機構と、
遊技球の入賞装置への入賞を検知して、入賞情報を出力する入賞検知手段と、
入賞装置毎に異なった役物の動作態様が設定されており、設定された役物の動作態様が前記複数の入賞装置への入賞順序の適否を反映するように構成されている
ことを特徴とするパチンコ遊技機。
【請求項７】
遊技球の入球しやすい拡開状態と、遊技球の入球しにくい閉鎖状態を備えた複数の入賞装置を有するパチンコ遊技機において、
遊技球が複数の進入穴へ進入した時および入賞装置へ入賞した時に、入賞装置の拡開状態と閉鎖状態とを変換する変換機構と、
遊技球の入賞装置への入賞を検知して、入賞情報を出力する入賞検知手段と、
入賞装置に入賞する毎に、入賞検知手段により検知された前回の入賞情報と該入賞検知手段により検知された今回の入賞情報とを比較する入賞情報比較手段と、
入賞情報比較手段の比較結果に基づき、前回の入賞情報に対して今回の入賞情報が遊技者にとって有利かどうかで異なった役物の動作態様によって報知する報知手段とを備えた
ことを特徴とするパチンコ遊技機。
【請求項８】
遊技球の入球しやすい拡開状態と、遊技球の入球しにくい閉鎖状態を備えた複数の入賞装置を有するパチンコ遊技機において、
遊技球が複数の進入穴へ進入した時および入賞装置へ入賞した時に、入賞装置の拡開状態と閉鎖状態とを変換する変換機構と、
入賞装置の開閉状態を検知する開閉状態検知手段と、
遊技球の入賞装置への入賞を検知して、入賞情報を出力する入賞検知手段と、
入賞装置に入賞する毎に、入賞検知手段により検知された入賞情報および入賞前における開閉状態検知手段により検知された開閉状態に基づいて構成される入賞判定テーブルに従って、遊技者にとって有利な入賞かどうかを判定する判定手段と、
判定手段における判定結果に基づいて有利かどうかで異なった役物の動作態様によって報知する報知手段とを備えた
ことを特徴とするパチンコ遊技機。
【請求項９】
請求項６ないし請求項８のいずれかにおいて、
前記入賞装置への入賞により獲得する賞球数が遊技者にとって有利となる順序で入賞した場合には、前記報知手段により報知する役物の動作態様が互いに関連して違和感のない役物の動作態様を形成するように構成されている
ことを特徴とするパチンコ遊技機。
【請求項１０】
遊技球の入球しやすい拡開状態と、遊技球の入球しにくい閉鎖状態を備えた複数の入賞装置を有するパチンコ遊技機において、
遊技球が複数の進入穴へ進入した時および入賞装置へ入賞した時に、入賞装置の拡開状態と閉鎖状態とを変換する変換機構と、
入賞装置へ入賞した遊技球の動きに基づき作動して、該入賞装置への入賞順序が遊技者にとって有利かどうかについて役物の動作態様によって報知する報知手段から成る
ことを特徴とするパチンコ遊技機。
【請求項１１】
請求項１０において、
前記報知手段が、前記遊技球の動きにより入賞した入賞装置を判別するとともに、該入賞装置への入賞が遊技者にとって有利かどうかを判別する判別機構と、
前記判別機構の判別により、該入賞装置への入賞順序が遊技者にとって有利かどうかによって異なった動作をする表示役物から成る
ことを特徴とするパチンコ遊技機。
【請求項１２】
請求項１１において、
前記判別機構は、前記遊技球の落下位置によって揺動方向が異なる揺動部材によって構成されている
ことを特徴とするパチンコ遊技機。
【請求項１３】
請求項１１において、
前記判別機構は、前記遊技球が入賞した入賞装置によって回転方向が異なり、入賞した遊技球を複数の供給導路に振り分ける回転機構によって構成されている
ことを特徴とするパチンコ遊技機。
【請求項１４】
請求項１ないし請求項１３のいずれかにおいて、
前記報知手段によって報知する役物の動作態様が、揺動動作またはおよび回転動作によって構成されている
ことを特徴とするパチンコ遊技機。
【請求項１５】
請求項１ないし請求項１４のいずれかにおいて、
前記報知手段によって報知する役物の動作態様が、直線動作またはおよび往復動作によって構成されている
ことを特徴とするパチンコ遊技機。
【発明の詳細な説明】
【技術分野】
【０００１】
本発明は、遊技球の入球しやすい拡開状態と、遊技球の入球しにくい閉鎖状態を備えた複数の入賞装置と、遊技球が複数の進入穴へ進入した時および入賞装置へ入賞した時に、入賞装置の拡開状態と閉鎖状態とを変換する変換機構を有するパチンコ遊技機において、前記複数の入賞装置への入賞順序が遊技者にとって有利かどうかで異なった役物の動作態様によって報知するパチンコ遊技機に関するものである。
【背景技術】
【０００２】
従来より、パチンコ遊技機の構成および機能の複雑化に伴い、パチンコ遊技機の遊技方法については分かりづらいものとなっており、遊技者とりわけ初心の遊技者が安心して遊技を行えるために、どのように遊技方法を説明するのかがホール運営上重要な問題となっている。
【０００３】
特許文献１に記載のパチンコ遊技機は、大当り状態となる可能性が高くなった場合に役物を回転させて大当り予告を行うものであった。
【特許文献１】特開２０００−２０２１４１
【発明の開示】
【発明が解決しようとする課題】
【０００４】
上述したように一般に、普通機と称されるパチンコ遊技機については、入賞装置への入賞を契機として付与される入賞口への入賞に対して、遊技方法を熟知した遊技者と遊技方法を熟知していない遊技者とでは獲得賞球数に差異が生じる可能性が比較的高いものであるため、遊技者の熟練度による有利不利が顕著に現れるものであり、公平性が保たれた遊技環境を提供するために遊技方法の説明が重要課題とされている。
【０００５】
しかしながら、上記特許文献１に記載のパチンコ遊技機においては、図２９に示されるように、ゲーム表示部Ｄの表示状態が大当り状態となる可能性が高い時に、ワープ球センサＳによってパチンコ球が流下したことを検知すると役物Ａを回転させて大当り予告を行なうにすぎないものであり、役物装置に遊技球が入賞した後に、該複数の入賞装置への入賞順序が遊技者にとって有利であったかどうかを報知することができないという問題があった。
【０００６】
このためホールは、パチンコ遊技機についての小冊子を設置したり、遊技方法を記載したＰＯＰを別途作成したり、遊技者に対してホール従業員による遊技方法の説明を行なったりと、パチンコ遊技機の遊技方法の説明のために多くの手間と費用が必要とされていた。
【０００７】
そこで本発明者らは、遊技球の入球しやすい拡開状態と、遊技球の入球しにくい閉鎖状態を備えた複数の入賞装置を有するパチンコ遊技機において、遊技球が複数の進入穴へ進入した時および入賞装置へ入賞した時に、入賞装置の拡開状態と閉鎖状態とを変換する変換機構と、遊技球が複数の進入穴および入賞装置のいずれか１つに進入および入賞した場合においては、該複数の進入穴および入賞装置への進入順序またはおよび入賞順序が遊技者にとって有利かどうかについて異なった役物の動作態様によって報知する報知手段から成るという本発明の技術的思想に着眼して、さらに研究開発を重ねた結果、遊技者が報知された役物の動作態様により前記複数の侵入穴および入賞装置への進入順序またはおよび入賞順序が、遊技者にとって有利となる進入順序またはおよび入賞順序であったかどうかを知ることができるという目的を達成する本発明に到達した。
【課題を解決するための手段】
【０００８】
本発明（請求項１に記載の第１発明）のパチンコ遊技機は、
遊技球の入球しやすい拡開状態と、遊技球の入球しにくい閉鎖状態を備えた複数の入賞装置を有するパチンコ遊技機において、
遊技球が複数の進入穴へ進入した時および入賞装置へ入賞した時に、入賞装置の拡開状態と閉鎖状態とを変換する変換機構と、
遊技球が複数の進入穴および入賞装置のいずれか１つに進入および入賞した場合においては、該複数の進入穴および入賞装置への進入順序またはおよび入賞順序が遊技者にとって有利かどうかについて異なった役物の動作態様によって報知する報知手段から成る
ものである。
【０００９】
本発明（請求項２に記載の第２発明）のパチンコ遊技機は、
遊技球の入球しやすい拡開状態と、遊技球の入球しにくい閉鎖状態を備えた複数の入賞装置を有するパチンコ遊技機において、
遊技球が複数の進入穴へ進入した時および入賞装置へ入賞した時に、入賞装置の拡開状態と閉鎖状態とを変換する変換機構と、
遊技球の複数の進入穴からの進入および入賞装置への入賞を検知して、検知情報を出力する検知手段と、
検知手段の検知出力に基づき前記複数の進入穴への進入順序またはおよび前記入賞装置への入賞順序の適否について役物の動作態様によって報知する報知手段を備えた
ものである。
【００１０】
本発明（請求項３に記載の第３発明）のパチンコ遊技機は、
前記第１発明または第２発明において、
遊技球の前記入賞装置への入賞順序の適否に応じて前記報知手段によって報知される役物の動作態様を任意のタイミング、役物の動作態様の種類またはおよび順序で設定する報知順序設定手段を備えた
ものである。
【００１１】
本発明（請求項４に記載の第４発明）のパチンコ遊技機は、
前記第１発明ないし第３発明のいずれかにおいて、
遊技球の前記複数の進入穴への進入または前記入賞装置への入賞のタイミングに同期して前記報知順序設定手段が作動する
ものである。
【００１２】
本発明（請求項５に記載の第５発明）のパチンコ遊技機は、
前記第１発明ないし第４発明のいずれかにおいて、
前記入賞装置への入賞により獲得する賞球数が遊技者にとって有利となる順序で入賞した場合には、前記入賞順序の適否に応じて設定された順序の役物の動作態様が互いに関連して違和感のない役物の動作態様を形成するように構成されている
ものである。
【００１３】
本発明（請求項６に記載の第６発明）のパチンコ遊技機は、
遊技球の入球しやすい拡開状態と、遊技球の入球しにくい閉鎖状態を備えた入賞装置を複数有するパチンコ遊技機において、
遊技球が複数の進入穴へ進入した時および入賞装置へ入賞した時に、入賞装置の拡開状態と閉鎖状態とを変換する変換機構と、
遊技球の入賞装置への入賞を検知して、入賞情報を出力する入賞検知手段と、
入賞装置毎に異なった役物の動作態様が設定されており、設定された役物の動作態様が前記複数の入賞装置への入賞順序の適否を反映するように構成されている
ものである。
【００１４】
本発明（請求項７に記載の第７発明）のパチンコ遊技機は、
遊技球の入球しやすい拡開状態と、遊技球の入球しにくい閉鎖状態を備えた複数の入賞装置を有するパチンコ遊技機において、
遊技球が複数の進入穴へ進入した時および入賞装置へ入賞した時に、入賞装置の拡開状態と閉鎖状態とを変換する変換機構と、
遊技球の入賞装置への入賞を検知して、入賞情報を出力する入賞検知手段と、
入賞装置に入賞する毎に、入賞検知手段により検知された前回の入賞情報と該入賞検知手段により検知された今回の入賞情報とを比較する入賞情報比較手段と、
入賞情報比較手段の比較結果に基づき、前回の入賞情報に対して今回の入賞情報が遊技者にとって有利かどうかで異なった役物の動作態様によって報知する報知手段とを備えた
ものである。
【００１５】
本発明（請求項８に記載の第８発明）のパチンコ遊技機は、
遊技球の入球しやすい拡開状態と、遊技球の入球しにくい閉鎖状態を備えた複数の入賞装置を有するパチンコ遊技機において、
遊技球が複数の進入穴へ進入した時および入賞装置へ入賞した時に、入賞装置の拡開状態と閉鎖状態とを変換する変換機構と、
入賞装置の開閉状態を検知する開閉状態検知手段と、
遊技球の入賞装置への入賞を検知して、入賞情報を出力する入賞検知手段と、
入賞装置に入賞する毎に、入賞検知手段により検知された入賞情報および入賞前における開閉状態検知手段により検知された開閉状態に基づいて構成される入賞判定テーブルに従って、遊技者にとって有利な入賞かどうかを判定する判定手段と、
判定手段における判定結果に基づいて有利かどうかで異なった役物の動作態様によって報知する報知手段とを備えた
ものである。
【００１６】
本発明（請求項９に記載の第９発明）のパチンコ遊技機は、
前記第６発明ないし第８発明のいずれかにおいて、
前記入賞装置への入賞により獲得する賞球数が遊技者にとって有利となる順序で入賞した場合には、前記報知手段により報知する役物の動作態様が互いに関連して違和感のない役物の動作態様を形成するように構成されている
ものである。
【００１７】
本発明（請求項１０に記載の第１０発明）のパチンコ遊技機は、
遊技球の入球しやすい拡開状態と、遊技球の入球しにくい閉鎖状態を備えた複数の入賞装置を有するパチンコ遊技機において、
遊技球が複数の進入穴へ進入した時および入賞装置へ入賞した時に、入賞装置の拡開状態と閉鎖状態とを変換する変換機構と、
入賞装置へ入賞した遊技球の動きに基づき作動して、該入賞装置への入賞順序が遊技者にとって有利かどうかについて役物の動作態様によって報知する報知手段から成る
ものである。
【００１８】
本発明（請求項１１に記載の第１１発明）のパチンコ遊技機は、
前記第１０発明において、
前記報知手段が、前記遊技球の動きにより入賞した入賞装置を判別するとともに、該入賞装置への入賞が遊技者にとって有利かどうかを判別する判別機構と、
前記判別機構の判別により、該入賞装置への入賞順序が遊技者にとって有利かどうかによって異なった動作をする表示役物から成る
ものである。
【００１９】
本発明（請求項１２に記載の第１２発明）のパチンコ遊技機は、
前記第１１発明において、
前記判別機構は、前記遊技球の落下位置によって揺動方向が異なる揺動部材によって構成されている
ものである。
【００２０】
本発明（請求項１３に記載の第１３発明）のパチンコ遊技機は、
前記第１１発明において、
前記判別機構は、前記遊技球が入賞した入賞装置によって回転方向が異なり、入賞した遊技球を複数の供給導路に振り分ける回転機構によって構成されている
ものである。
【００２１】
本発明（請求項１４に記載の第１４発明）のパチンコ遊技機は、
前記第１発明ないし第１３発明のいずれかにおいて、
前記報知手段によって報知する役物の動作態様が、揺動動作またはおよび回転動作によって構成されている
ものである。
【００２２】
本発明（請求項１５に記載の第１５発明）のパチンコ遊技機は、
前記第１発明ないし第１４発明のいずれかにおいて、
前記報知手段によって報知する役物の動作態様が、直線動作またはおよび往復動作によって構成されている
ものである。
【発明の効果】
【００２３】
本発明（請求項１に記載の第１発明）のパチンコ遊技機は、遊技球の入球しやすい拡開状態と、遊技球の入球しにくい閉鎖状態を備えた複数の入賞装置を有するパチンコ遊技機において、前記変換機構が複数の進入穴から遊技球が進入した時および入賞装置へ入賞した時に、前記入賞装置の拡開状態と閉鎖状態とを変換するとともに、遊技球が複数の進入穴および入賞装置のいずれか１つに進入および入賞した場合においては、前記報知手段が該複数の進入穴および入賞装置への進入順序またはおよび入賞順序が遊技者にとって有利かどうかについて異なった役物の動作態様によって報知するので、遊技者が報知された役物の動作態様により前記複数の侵入穴および入賞装置への進入順序またはおよび入賞順序が、遊技者にとって有利となる進入順序またはおよび入賞順序であったかどうかを知ることができるという効果を奏する。また、前記複数の進入穴および入賞装置への進入順序またはおよび入賞順序が遊技者にとって有利となる進入順序またはおよび入賞順序であったかどうかを報知するため、遊技者に対して間接的に遊技者にとって有利となる進入順序またはおよび入賞順序の学習を可能にすることができるので、遊技者が遊技を行いながら興趣を持って遊技方法を習得できるという効果を奏する。
【００２４】
本発明（請求項２に記載の第２発明）のパチンコ遊技機は、遊技球の入球しやすい拡開状態と、遊技球の入球しにくい閉鎖状態を備えた複数の入賞装置を有するパチンコ遊技機において、前記変換機構が複数の進入穴から遊技球が進入した時および入賞装置へ入賞した時に、前記入賞装置の拡開状態と閉鎖状態とを変換するとともに、前記検知手段が遊技球の複数の進入穴からの進入および入賞装置への入賞を検知して、検知情報を出力して、前記検知手段の検知出力に基づき、前記報知手段によって前記複数の進入穴への進入順序またはおよび前記入賞装置への入賞順序の適否について役物の動作態様によって報知するので、遊技者が報知された役物の動作態様により前記複数の侵入穴および入賞装置への進入順序またはおよび入賞順序が、遊技者にとって有利となる進入順序またはおよび入賞順序であったかどうかを知ることができるという効果を奏する。また、前記複数の進入穴および入賞装置への進入順序またはおよび入賞順序が遊技者にとって有利となる進入順序またはおよび入賞順序であったかどうかを報知するため、遊技者に対して間接的に遊技者にとって有利となる進入順序またはおよび入賞順序の学習を可能にすることができるので、遊技者が遊技を行いながら興趣を持って遊技方法を習得できるという効果を奏する。
【００２５】
本発明（請求項３に記載の第３発明）のパチンコ遊技機は、前記第１発明または第２発明において、前記報知順序設定手段が、遊技球の前記入賞装置への入賞順序の適否に応じて前記報知手段によって報知される役物の動作態様を任意のタイミング、役物の動作態様の種類またはおよび順序で設定するので、前記報知順序設定手段の作動を契機として報知する役物の動作態様のタイミング、役物の動作態様の種類またはおよび順序を変更するため、遊技者に興趣のある遊技を提供できるという効果を奏する。
【００２６】
本発明（請求項４に記載の第４発明）のパチンコ遊技機は、前記第１発明ないし第３発明のいずれかにおいて、遊技球の前記複数の進入穴への進入または前記入賞装置への入賞のタイミングに同期して前記報知順序設定手段が作動するので、前記報知手段において報知される役物の動作態様の順序の基準を明確にすることができるという効果を奏する。
【００２７】
本発明（請求項５に記載の第５発明）のパチンコ遊技機は、前記第１発明ないし第４発明のいずれかにおいて、前記入賞装置への入賞により獲得する賞球数が遊技者にとって有利となる順序で入賞した場合には、前記入賞順序の適否に応じて設定された順序の役物の動作態様が互いに関連して違和感のない役物の動作態様を形成するので、遊技者は報知された該役物の動作態様によって前記複数の入賞装置での入賞した順序が、遊技者にとって有利となる入賞順序であったかどうかを知ることができるという効果を奏するとともに、報知された該役物の動作態様によって前記複数の入賞装置への入賞した順序が、遊技者にとって有利となる入賞順序であったかどうかを報知するため、遊技者に対して間接的に遊技者にとって有利となる入賞順序の学習を可能にすることができるので、遊技者が遊技を行いながら興趣を持って遊技方法を習得できるという効果を奏する。
【００２８】
本発明（請求項６に記載の第６発明）のパチンコ遊技機は、遊技球の入球しやすい拡開状態と、遊技球の入球しにくい閉鎖状態を備えた複数の入賞装置を有するパチンコ遊技機において、前記変換機構が複数の進入穴から遊技球が進入した時および入賞装置へ入賞した時に、前記入賞装置の拡開状態と閉鎖状態とを変換するとともに、前記入賞検知手段が遊技球の入賞装置への入賞を検知して、入賞情報を出力して、前記入賞検知手段の検知出力に基づき、前記報知手段によって入賞装置毎に設定された前記複数の入賞装置への入賞順序の適否を反映する異なった役物の動作態様によって報知するので、遊技者が報知された役物の動作態様により入賞した入賞装置の適否を知ることができるという効果を奏する。
【００２９】
本発明（請求項７に記載の第７発明）のパチンコ遊技機は、遊技球の入球しやすい拡開状態と、遊技球の入球しにくい閉鎖状態を備えた複数の入賞装置を有するパチンコ遊技機において、前記変換機構が複数の進入穴から遊技球が進入した時および入賞装置へ入賞した時に、前記入賞装置の拡開状態と閉鎖状態とを変換するとともに、前記入賞検知手段が遊技球の前記入賞装置への入賞を検知して、入賞情報を出力して、入賞装置に入賞する毎に、前記入賞情報比較手段によって前記入賞検知手段により検知された前回の入賞情報と該入賞検知手段により検知された今回の入賞情報とを比較することにより、前記報知手段が前記入賞情報比較手段の比較結果に基づき、前回の入賞情報に対して今回の入賞情報が遊技者にとって有利かどうかで異なった役物の動作態様によって報知するので、遊技者が報知された役物の動作態様により前記入賞装置への入賞が遊技者にとって有利かどうかを知ることができるという効果を奏する。また、報知された該役物の動作態様によって前記入賞装置への入賞が、遊技者にとって有利となる入賞であったかどうかを報知するため、遊技者に対して間接的に遊技者にとって有利となる前記入賞装置への入賞順序の学習を可能にすることができるので、遊技者は遊技を行いながら興趣を持って遊技方法を習得することができるという効果を奏する。
【００３０】
本発明（請求項８に記載の第８発明）のパチンコ遊技機は、遊技球の入球しやすい拡開状態と、遊技球の入球しにくい閉鎖状態を備えた複数の入賞装置を有するパチンコ遊技機において、前記変換機構が複数の進入穴から遊技球が進入した時および入賞装置へ入賞した時に、前記入賞装置の拡開状態と閉鎖状態とを変換するとともに、前記開閉状態検知手段により前記入賞装置の開閉状態を検知して、前記入賞検知手段によって遊技球の前記入賞装置への入賞を検知して、入賞情報を出力することにより、前記入賞装置に入賞する毎に、前記判定手段において入賞検知手段により検知された入賞情報および入賞前における開閉状態検知手段により検知された開閉状態に基づいて構成される前記入賞判定テーブルに従って、該入賞が遊技者にとって有利な入賞かどうかを判定して、前記報知手段が前記判定手段における判定結果に基づいて有利かどうかで異なった役物の動作態様によって報知するので、遊技者は報知された役物の動作態様により前記入賞装置への入賞が遊技者にとって有利な入賞であったかどうかを知ることができるという効果を奏するとともに、報知された該役物の動作態様によって前記入賞装置への入賞が、遊技者にとって有利となる入賞であったかどうかを報知するため、遊技者に対して間接的に遊技者にとって有利となる入賞順序の学習を可能にすることができるので、遊技者が遊技を行いながら興趣を持って遊技方法を習得することができるという効果を奏する。
【００３１】
本発明（請求項９に記載の第９発明）のパチンコ遊技機は、前記第６発明ないし第８発明のいずれかにおいて、前記入賞装置への入賞により獲得する賞球数が遊技者にとって有利となる順序で入賞した場合には、前記報知手段により報知する役物の動作態様が互いに関連して違和感のない役物の動作態様を形成するので、遊技者は報知された該役物の動作態様によって前記複数の入賞装置での入賞した順序が、遊技者にとって有利となる入賞順序であったかどうかを知ることができるという効果を奏するとともに、報知された該役物の動作態様によって前記複数の入賞装置への入賞した順序が、遊技者にとって有利となる入賞順序であったかどうかを報知するため、遊技者に対して間接的に遊技者にとって有利となる入賞順序の学習を可能にすることができるので、遊技者が遊技を行いながら興趣を持って遊技方法を習得できるという効果を奏する。
【００３２】
本発明（請求項１０に記載の第１０発明）のパチンコ遊技機は、遊技球の入球しやすい拡開状態と、遊技球の入球しにくい閉鎖状態を備えた複数の入賞装置を有するパチンコ遊技機において、前記変換機構が複数の進入穴から遊技球が進入した時および入賞装置へ入賞した時に、前記入賞装置の拡開状態と閉鎖状態とを変換するとともに、前記入賞装置へ入賞した遊技球の動きに基づき作動する前記報知手段が、該入賞装置への入賞順序が遊技者にとって有利かどうかについて異なった役物の動作態様によって報知するので、検知手段を用いることなく安価な部品構成によって、遊技者が報知された役物の動作態様によって前記入賞装置への入賞が遊技者にとって有利な入賞であったかどうかを知ることができるという効果を奏する。また、報知された該役物の動作態様によって前記入賞装置への入賞が、遊技者にとって有利となる入賞であったかどうかを報知するため、遊技者に対して間接的に遊技者にとって有利となる前記入賞装置への入賞順序の学習を可能にすることができるので、遊技者は遊技を行いながら興趣を持って遊技方法を習得することができるという効果を奏する。
【００３３】
本発明（請求項１１に記載の第１１発明）のパチンコ遊技機は、前記第１０発明において、前記判別機構が前記遊技球の動きにより入賞した入賞装置を判別するとともに、該入賞装置への入賞が遊技者にとって有利かどうかを判別して、前記報知手段としての表示役物が前記判別機構の判別に基づいて、該入賞装置への入賞順序が遊技者にとって有利かどうかによって異なった動作をするので、検知手段を用いることなく安価な部品構成によって、遊技者が報知された役物の動作態様によって前記入賞装置への入賞が遊技者にとって有利な入賞であったかどうかを知ることができるという効果を奏する。また、報知された該役物の動作態様によって前記入賞装置への入賞が、遊技者にとって有利となる入賞であったかどうかを報知するため、遊技者に対して間接的に遊技者にとって有利となる前記入賞装置への入賞順序の学習を可能にすることができるので、遊技者は遊技を行いながら興趣を持って遊技方法を習得することができるという効果を奏する。
【００３４】
本発明（請求項１２に記載の第１２発明）のパチンコ遊技機は、前記第１１発明において、前記判別機構が前記遊技球の落下位置によって揺動方向が異なる揺動部材によって判別するので、検知手段を用いることなく安価な部品構成によって、前記入賞装置への入賞が遊技者にとって有利な入賞であったかどうかを判別することができるという効果を奏する。
【００３５】
本発明（請求項１３に記載の第１３発明）のパチンコ遊技機は、前記第１１発明において、前記判別機構が前記遊技球が入賞した入賞装置によって回転方向が異なり、入賞した遊技球を複数の供給導路に振り分ける回転機構によって判別するので、検知手段を用いることなく安価な部品構成によって、前記入賞装置への入賞が遊技者にとって有利な入賞であったかどうかを判別することができるという効果を奏する。
【００３６】
本発明（請求項１４に記載の第１４発明）のパチンコ遊技機は、前記第１発明ないし第１３発明のいずれかにおいて、前記報知手段が、役物の揺動動作またはおよび回転動作によって前記入賞装置への入賞が、遊技者にとって有利となる入賞であったかどうかを報知するので、遊技者が報知された役物の動作態様により興趣をもって該入賞装置への入賞が有利であったかどうかを知ることができるという効果を奏する。
【００３７】
本発明（請求項１５に記載の第１５発明）のパチンコ遊技機は、前記第１発明ないし第１４発明のいずれかにおいて、前記報知手段が、役物の直線動作またはおよび往復動作によって前記入賞装置への入賞が、遊技者にとって有利となる入賞であったかどうかを報知するので、遊技者が報知された役物の動作態様により興趣をもって該入賞装置への入賞が有利であったかどうかを知ることができるという効果を奏する。
【発明を実施するための最良の形態】
【００３８】
以下本発明の最良の実施の形態につき実施例に基づき、図面を用いて説明する。
【実施例１】
【００３９】
本第１実施例のパチンコ遊技機は前記第１発明、第６発明、第９発明および第１４発明の実施例であり、図１２に示されるように第２種非電動役物１２ないし１５の左誘導部材および右誘導部材に誘導されて入賞した遊技球を検知する入賞検知スイッチ２９および２５毎に異なった揺動動作をする役物の動作態様が設定されていて、異なった揺動動作が設定されている餅つき動作を模した役物の動作態様が前記第２種非電動役物１２ないし１５への入賞順序の適否を反映するように構成した点を特徴とする。
【００４０】
また、第２種非電動役物１２ないし１４の左誘導部材および右誘導部材に誘導されて入賞した遊技球を遊技盤１００の後方に形成された遊技球導出路において同一経路を通過するように構成して、該同一経路に前記入賞検知スイッチ２９を配設することにより、パチンコ遊技機製造に必要となる前記入賞検知スイッチの数を減らした点に特徴がある。
【００４１】
第１実施例のパチンコ遊技機は、図１ないし図１２に示されるように、遊技球の入球しやすい拡開状態と、遊技球の入球しにくい閉鎖状態を備えた複数の入賞装置有するパチンコ遊技機において、遊技球の複数の進入穴からの進入および入賞装置への入賞を検知して、入賞装置の拡開状態と閉鎖状態とを変換する変換機構１と、遊技球の入賞装置への入賞を検知して、入賞情報を出力する入賞検知手段２と、入賞検知手段の検知出力に基づき入賞順序の適否について役物の動作態様によって報知する報知手段９を備えるものである。
【００４２】
第１実施例のパチンコ遊技機は、図１ないし図１２に示されるように遊技盤１００に、遊技球が入球しやすい拡開状態と、遊技球が入球しにくい閉鎖状態を備えた第１種非電動役物１０および１１と、遊技球が入球しやすい拡開状態と、遊技球が入球しにくい閉鎖状態を備えた第２種非電動役物１２ないし１５が配設されている。
【００４３】
前記変換機構１は、遊技球の進入を検知して、前記第１種非電動役物および第２種非電動役物の誘導状態を変換する変換機構１０Ｔないし１５Ｔによって構成される。
【００４４】
前記入賞検知手段２は、各入賞装置への入賞を検知して入賞情報を出力する入賞検知スイッチ２０、２１、２５、２６、２７および２９によって構成される。
【００４５】
前記報知手段９は、図２および図１２に示されるように前記遊技盤１００の下側右方の非遊技領域に配設され、前記入賞検知スイッチ２０、２１、２５、２６、２７および２９より出力された入賞情報に基づいて、前記入賞検知スイッチ毎に設定された角度によって槌を振り上げたり振り下ろしたりする人間の形をした役物９９と、臼の形に成形された装飾部材９８とによって構成される。
【００４６】
なお、前記人間の形をした役物９９は、腕の角度を一定角度に駆動制御するためのステッピングモーター９９Ｍを格納しており、前記入賞検知スイッチ２０、２１、２５、２６、２７および２９より出力された入賞情報に基づいて、前記腕および腕と一体となって形成された槌を、振り上げた位置または振り下ろした位置に制御する。
【００４７】
第１実施例のパチンコ遊技機は、前記入賞検知スイッチ２０、２１、２５、２６、２７および２９より出力された入賞情報に基づいて同一または異なった角度範囲で揺動動作する役物の動作態様で報知する前記人間の形をした役物９９と、遊技球の進入によって前記第２種非電動役物１２ないし１５の一部を拡開状態へと変換する左ゲート３０、中ゲート３１および右ゲート３２と、前記第２種非電動役物１３の上入賞口への入賞を支持する下ゲート３３と、遊技盤１００の後方に形成された遊技球導出路を備えている。
【００４８】
前記第１種非電動役物１０は、図４または図５に示されるように略扇形状に形成され対向して揺動可能に配設された左誘導部材４０および右誘導部材４１と、変換機構１０Ｔにより構成されている。
【００４９】
前記変換機構１０Ｔは、前記左誘導部材４０および右誘導部材４１の閉鎖状態においては前記左誘導部材４０および右誘導部材４１の下端部に当接支持することにより前記左誘導部材４０および右誘導部材４１を閉鎖状態に維持させるロック部材４２と、前記ロック部材４２と一体的に形成され上入賞口より入賞した遊技球を遊技盤１００の後方に形成された遊技球導出路に誘導する第１のガイド部材４３と、前記ロック部材４２および第１のガイド部材４３と対向して平行に形成され、前記左誘導部材４０および右誘導部材４１の拡開状態において、前記左誘導部材４０および右誘導部材４１に誘導されて入賞した遊技球を遊技盤１００の後方に形成された遊技球導出路に誘導する第２のガイド部材４５と、前記第１のガイド部材４３の略中心位置に介挿され前記ロック部材４２と、第１のガイド部材４３、および第２のガイド部材４５の揺動動作を支持する略円柱状の支持部材４４により構成されている。
【００５０】
なお、前記左誘導部材４０および右誘導部材４１は、図４（ａ）に示されるようにその閉鎖状態において、前記第１種非電動役物１０の上入賞口より入賞した遊技球は前記第１のガイド部材４３上に落下して、図４（ｂ）に示されるように前記第１のガイド部材４３が前記支持部材４４を支点として図４中時計方向に揺動動作するため、前記第１のガイド部材４３と一体的に形成された前記ロック部材４２と前記左誘導部材４０および右誘導部材４１との間に介挿された当接状態が解除されることにより、前記左誘導部材４０および右誘導部材４１が自重により拡開状態に変換される。
【００５１】
なお、図５（ａ）に示されるように前記左誘導部材４０および右誘導部材４１の拡開状態において、前記左誘導部材４０および右誘導部材４１に誘導されて入賞した遊技球は前記第２のガイド部材４５上に落下して、図５（ｂ）に示されるように前記第２のガイド部材４５が前記支持部材４４を支点として図５中時計方向に揺動動作するため、前記第１のガイド部材４３と一体的に形成された前記ロック部材４２が前記左誘導部材４０および右誘導部材４１との間に介挿されて当接状態となることにより、前記左誘導部材４０および右誘導部材４１が閉鎖状態に変換される。
【００５２】
なお、以下の説明では図４および図５に示されるように遊技球の進入により左誘導部材および右誘導部材を閉鎖状態から拡開状態へと変換する変換機構における範囲を拡開落下点ＯＰとして表すとともに、左誘導部材および右誘導部材を拡開状態から閉鎖状態へと変換する変換機構における範囲を閉鎖落下点ＣＬとして表す。
【００５３】
前記第１種非電動役物１１および変換機構１１Ｔは前記第１種非電動役物１０および変換機構１０Ｔと同様の構成であるため説明を省略する。
【００５４】
前記第２種非電動役物１２は、図６ないし図９に示されるように略扇形状に形成された左誘導部材５０および右誘導部材５１と、変換機構１２Ｔにより構成されている。
【００５５】
前記変換機構１２Ｔは、前記左誘導部材５０および右誘導部材５１の閉鎖状態においては前記左誘導部材５０および右誘導部材５１の下端部に当接支持することにより前記左誘導部材５０および右誘導部材５１を閉鎖状態に維持させるロック部材５２と、前記ロック部材５２と一体的に形成され上入賞口より入賞して拡開落下点ＯＰに落下した遊技球を遊技盤１００の後方に形成された遊技球導出路に誘導する第１のガイド部材５３と、前記ロック部材５２および第１のガイド部材５３と対向して平行に形成され、前記左誘導部材５０および右誘導部材５１の拡開状態において、前記左誘導部材５０および右誘導部材５１に誘導されて入賞した遊技球を遊技盤１００の後方に形成された遊技球導出路に誘導する第２のガイド部材５５と、前記第１のガイド部材５３の略中心位置に介挿され前記ロック部材５２、第１のガイド部材５３、および第２のガイド部材５５の揺動動作を支持する略円柱状の支持部材５４と、前記第１のガイド部材５３の図中後方右端に穿設され後述する第２の左アーム５８の揺動動作を連絡する円柱状の連絡棒５６と、前記左ゲート３０および中ゲート３１を通過した遊技球の自重により押圧されて揺動し、一方の先端に前記第２の左アーム５８の歯部と噛み合う歯部を有する略くの字状の第１の左アーム５７と、一方の先端に前記第１の左アーム５７の歯部と噛み合う歯部を有するとともに他方の先端において図９に示されるように前記連絡棒５６と当接する突出部５９を備え、前記第１の左アーム５７が図中時計方向に揺動する場合には互いに噛み合う歯部において連絡して図中反時計方向に揺動する略Ｙの字状の第２の左アーム５８により構成されている。
【００５６】
なお、前記第２の左アーム５８が、図８（Ｂ）に示されるように遊技球の落下による前記第１の左アーム５７の時計方向の揺動に応じて中反時計方向に揺動することにより前記連絡棒５６が前記突出部５９によって図８（Ｂ）中下方に揺動されるので、図７に示されるように前記第１のガイド部材５３が前記支持部材５４を支点として図７中反時計方向に揺動するため、前記左誘導部材５０および右誘導部材５１の下部に介挿されている前記ロック部材５２のロック機構としての状態が解除され、前記左誘導部材５０および右誘導部材５１が拡開状態となる。
【００５７】
なお、上述したように図８（Ｂ）に示される前記左誘導部材５０および右誘導部材５１の拡開状態において、前記左誘導部材５０および右誘導部材５１に誘導されて入賞した遊技球は前記第２のガイド部材５５の閉鎖落下点ＣＬに落下して、前記第２のガイド部材５５が前記支持部材５４を支点として揺動動作するため前記第１のガイド部材５３と一体的に形成された前記ロック部材５２が前記左誘導部材５０および右誘導部材５１の下部に介挿され当接状態となることにより、前記左誘導部材５０および右誘導部材５１が閉鎖状態に変換される。
【００５８】
第２種非電動役物１４および変換機構１４Ｔは前記第２種非電動役物１２および変換機構１２Ｔと左右対称に構成されており、基本構成が同様であるため説明および図示を省略する。すなわち、第２種非電動役物１４は上入賞口より入賞した場合に加え、前記中ゲート３１および右ゲート３２を遊技球が通過した場合に、該入賞した遊技球または通過した遊技球が前記第２種非電動役物１４における拡開落下店ＯＰに落下することにより拡開状態となるように構成されている。
【００５９】
なお、上記した前記変換機構１２Ｔにおいて図８（Ｂ）を用いた説明と同様に、前記第２種非電動役物１４は、左誘導部材および右誘導部材の拡開状態において、左誘導部材および右誘導部材に誘導されて入賞した遊技球は前記第２のガイド部材の閉鎖落下点ＣＬに落下して、第２のガイド部材が支持部材を支点として揺動動作するため記第１のガイド部材と一体的に形成されたロック部材が左誘導部材および右誘導部材の下部に介挿され当接状態となることにより、左誘導部材および右誘導部材が閉鎖状態に変換される。
【００６０】
第２種非電動役物１３は前記第１種非電動役物１０と基本構成が同様であるため、相違点を中心に説明する。
前記第２種非電動役物１３の変換機構１３Ｔの動作原理は、図１０に示されるように前記下ゲート３３に支持されるか、または直接上入賞口へ入賞した遊技球が拡開落下点ＯＰに落下することにより拡開状態に変換されるとともに、前記左ゲート３０、中ゲート３１および右ゲート３２に進入した遊技球が拡開落下点ＯＰに落下することにより拡開状態に変換されるものである。
【００６１】
なお、上述したように左誘導部材および右誘導部材の拡開状態において、左誘導部材および右誘導部材に誘導されて入賞した遊技球は第２のガイド部材の閉鎖落下点ＣＬに落下して、第２のガイド部材が支持部材を支点として揺動動作するため記第１のガイド部材と一体的に形成されたロック部材が左誘導部材および右誘導部材と当接状態となることにより、左誘導部材および右誘導部材が閉鎖状態に変換される。
【００６２】
第２種非電動役物１５は前記第１種非電動役物１０と基本構成が同様であるため、相違点を中心に説明する。
前記第２種非電動役物１５の変換機構１５Ｔの動作原理は、前記第２種非電動役物１２、１３および１４の左誘導部材および右誘導部材に誘導されて入賞した遊技球が、図３に示されるように前記遊技盤１００の後方に形成された遊技球導出路を通って、前記第２種非電動役物１５の拡開落下点ＯＰに落下することにより拡開状態に変換されるものである。
【００６３】
なお、上述したように左誘導部材および右誘導部材の拡開状態において、左誘導部材および右誘導部材に誘導されて入賞した遊技球は第２のガイド部材の閉鎖落下点ＣＬに落下して、第２のガイド部材が支持部材を支点として揺動動作するため記第１のガイド部材と一体的に形成されたロック部材が左誘導部材および右誘導部材と当接状態となることにより、左誘導部材および右誘導部材が閉鎖状態に変換される。
【００６４】
本第１実施例のパチンコ遊技機の制御システムの概要は図１１に示されるように、メイン制御基板８０に信号を出力する入賞検知手段２を構成する入賞検知スイッチ２０、２１、２５、２６、２７および２９と、メインＣＰＵ８１、メインＲＯＭ８２およびメインＲＡＭ８３を格納した前記メイン制御基板８０と、前記メイン制御基板８０からの信号を入力して前記ステッピングモーター９９Ｍに対して出力指令を出力する役物動作制御基板８４と、前記メイン制御基板８０からの信号を入力して賞球払出指令を出力する払出制御基板８５によって構成される。
【００６５】
以下において、本第１実施例における前記人間の形をした役物９９によって報知される前記人間の形をした役物９９の動作態様の決定制御を説明する。
【００６６】
本第１実施例のパチンコ遊技機における前記第１種非電動役物１０および１１へ遊技球が入賞すると図１２に示されるように前記入賞検知スイッチ２０および２１に対応して設定された役物の動作態様（サ）が前記人間の形をした役物９９によって報知される。同様に、入賞口１６および１７へ遊技球が入賞すると前記入賞検知スイッチ２６および２７に対応して設定された役物の動作態様（サ）が前記人間の形をした役物９９によって報知される。
【００６７】
なお、役物の動作態様（サ）については、図１２に示されるように前記人間の形をした役物９９の腕および腕と一体となって形成された槌が図中（ア）の位置にある時は、該腕および腕と一体となって形成された槌が図中（サ）Ａの位置に揺動動作した後に、図中（ア）の位置に復帰するとともに、前記人間の形をした役物９９の腕および腕と一体となって形成された槌が図中（イ）の位置にある時は、該腕および腕と一体となって形成された槌が図中（サ）Ｂの位置に揺動動作した後に、図中（イ）の位置に復帰するものとする。
【００６８】
また、第２種非電動役物１２ないし１４の前記左誘導部材および右誘導部材に誘導されて遊技球が入賞すると図１２に示されるように前記入賞検知スイッチ２９に対応して設定された役物の動作態様（ア）が前記人間の形をした役物９９によって報知される。同様に、第２種非電動役物１５の前記左誘導部材および右誘導部材に誘導されて遊技球が入賞すると前記入賞検知スイッチ２５に対応して設定された役物の動作態様（イ）が前記人間の形をした役物９９によって報知される。
【００６９】
なお、役物の動作態様（ア）については、図１２に示されるように前記人間の形をした役物９９の腕および腕と一体となって形成された槌が図中（ア）の位置に揺動動作するものとし、役物の動作態様（イ）については、前記人間の形をした役物９９の腕および腕と一体となって形成された槌が図中（イ）の位置に揺動動作するものとする。
【００７０】
すなわち、本第１実施例のパチンコ遊技機では、図１２に示されるように一例として役物の動作態様（ア）については例えば一般的に餅つき動作における槌を振り上げる動作をイメージさせる役物の動作に設定し、役物の動作態様（イ）については例えば一般的に餅つき動作における槌を振り下ろす動作をイメージさせる役物の動作に夫々設定することにより、「役物の動作態様（ア）→役物の動作態様（イ）→役物の動作態様（ア）→…」のように役物の動作態様（ア）と役物の動作態様（イ）が交互に報知された場合には違和感のない役物の動作態様の順序となるようにして意味を有するようにして、「役物の動作態様（ア）→役物の動作態様（ア）→役物の動作態様（イ）→…」のように役物の動作態様（ア）が続けて報知された場合には連続する役物の動作態様がちぐはぐな発生順序となるものである。
【００７１】
以下、上記構成および作用の本第１実施例のパチンコ遊技機の効果について説明する。
【００７２】
本第１実施例のパチンコ遊技機は、前記入賞検知スイッチ２０、２１、２５、２６、２７および２９が入賞装置への入賞を検知するとともに入賞情報を出力して、前記入賞検知スイッチ２０、２１、２５、２６、２７および２９毎に同一または異なった役物の動作態様が設定されていて、前記人間の形をした役物９９によって報知される設定された役物の動作態様が前記第２種非電動役物１２ないし１５への入賞順序の適否を反映するように構成されているので、遊技者が報知された連続する役物の動作態様の順序により入賞した入賞装置の適否を知ることができるという効果を奏する。
【００７３】
本第１実施例のパチンコ遊技機は、前記第２種非電動役物１２ないし１５への入賞により獲得する賞球数が遊技者にとって有利となる順序で入賞した場合には、報知された役物の動作態様が互いに関連して違和感のない役物の動作態様を形成するので、遊技者は報知された該役物の動作態様によって前記第２種非電動役物１２ないし１５への入賞した順序が遊技者にとって有利となる入賞順序であったかどうかを知ることができるという効果を奏する。
【００７４】
本第１実施例のパチンコ遊技機は、報知された該役物の動作態様によって前記第２種非電動役物１２ないし１５への入賞した順序が遊技者にとって有利となる入賞順序であったかどうかを報知するため、遊技者に対して間接的に遊技者にとって有利となる入賞順序の学習を可能にすることができるので、遊技者が遊技を行いながら興趣を持って遊技方法を習得することができるという効果を奏する。
【００７５】
本第１実施例のパチンコ遊技機は、前記第２種非電動役物１２ないし１４の前記左誘導部材および右誘導部材に誘導されて入賞した遊技球を前記遊技盤１００の後方に形成された遊技球導出路において同一経路を通過するように構成して、該同一経路に前記入賞検知スイッチ２９を配設したので、前記複数の入賞装置の中で役割が同一のものの入賞を１つの検知手段によって検出したので、必要となる検知手段の数を削減することによりパチンコ遊技機の製造コストを低減することができるという効果を奏する。
【００７６】
本第１実施例のパチンコ遊技機は、前記人間の形をした役物９９が、役物の揺動動作によって入賞した前記第２種非電動役物１２ないし１５への入賞順序の適否を報知するので、遊技者が報知された役物の動作態様により興趣をもって前記第２種非電動役物１２ないし１５への入賞順序の適否を知ることができるという効果を奏する。
【実施例２】
【００７７】
第２実施例のパチンコ遊技機は、前記第１発明および第１０発明ないし第１４発明の実施例であり、図１ないし図１０、図１３ないし図１６に示されるように、遊技球の入球しやすい拡開状態と、遊技球の入球しにくい閉鎖状態を備えた複数の入賞装置を有するパチンコ遊技機において、複数の進入穴からの遊技球が進入した時および入賞装置へ入賞した時、入賞装置の拡開状態と閉鎖状態とを変換する変換機構１と、前記入賞装置へ入賞した遊技球を複数の振分誘導路に振り分ける振分機構５と、該振分機構５によって振り分けられた前記振分誘導路を移動する遊技球の自重により作動して、前記入賞装置への入賞が遊技者にとって有利かどうかを判別する判別機構６と、前記判別機構６の判別結果に基づいて遊技者にとって有利かどうかで異なった回転動作をする役物の動作態様によって報知する回転式報知役物９９５を備えるものである。
【００７８】
また、本第２実施例のパチンコ遊技機は、図１３に示されるように前記遊技盤１００の後方に形成された遊技球導出路２０２、２１２、２５２、２６２、２７２、２９２および３０２を通って、賞球払出制御を開始するための賞球払出スイッチＳを通過するように構成することにより、パチンコ遊技機製造に必要となる入賞検知スイッチの数を減らした点に特徴がある。なお、以下においては上述した第１実施例との相違点を中心に説明し、同様の構成または作用については同一符号を付して説明を省略する。
【００７９】
前記遊技球導出路２０２は、前記第１種非電動役物１０へ入賞した遊技球および前記第２種非電動役物１２の上入賞口より入賞した遊技球が通って前記賞球払出スイッチＳへと連絡しており、前記遊技球導出路２１２は、前記第１種非電動役物１１へ入賞した遊技球および前記第２種非電動役物１４の上入賞口より入賞した遊技球が通って前記賞球払出スイッチＳへと連絡しており、前記遊技球導出路２５２は、前記第２種非電動役物１５の左誘導部材および右誘導部材に誘導されて入賞した遊技球が前記振分機構５および前記判別機構６を通った後前記賞球払出スイッチＳへと連絡している。前記遊技球導出路２６２は、前記入賞口１６へ入賞した遊技球が通って前記賞球払出スイッチＳへと連絡しており、前記遊技球導出路２７２は、前記入賞口１７へ入賞した遊技球が通って前記賞球払出スイッチＳへと連絡しており、前記遊技球導出路２９２は、前記第２種非電動役物１２ないし１４の左誘導部材および右誘導部材に誘導されて入賞した遊技球および、前記第２種非電動役物１５の上入賞口より入賞した遊技球が前記振分機構５および前記判別機構６を通った後前記賞球払出スイッチＳへと連絡しており、前記遊技球導出路３０２は、前記第２種非電動役物１３の上入賞口より入賞した遊技球が通って前記賞球払出スイッチＳへと連絡している。
【００８０】
すなわち、上の段の第２種非電動役物１２ないし１４の左誘導部材および右誘導部材に誘導されて入賞した遊技球は遊技球導出路２９２を移動して前記振分機構５の落下点２９２Ｐへ落下し、または下の段の第２種非電動役物１５の左誘導部材および右誘導部材に誘導されて入賞した遊技球は遊技球導出路２５２を移動して前記振分機構５の落下点２５２Ｐへ落下する。
【００８１】
前記振分機構５は、図１４および図１５に示されるように、４個の突出部より成る回転自在の略十字型の横断面形状の回転部材より成り、略円弧状の遊技球を受容する受容部３９２Ｃおよび３５２Ｃと、一方面にテーパ部が配設された遊技球の移動方向を９０度変更して誘導する誘導部３９２Ｇおよび３５２Ｇと、一体的に形成された前記２つの受容部および２つの誘導部の略中心に配設され、前記２つの受容部および２つの誘導部の回転動作を可能にするヒンジ部２７２と、遊技者にとって有利な入賞順序で前記第２種非電動役物１２ないし１５へ入賞した時に振り分けられる遊技球振分誘導路ＧＧと、遊技者にとって有利とならない入賞順序で前記第２種非電動役物１２ないし１５へ入賞した時に振り分けられる遊技球振分誘導路ＢＢによって構成される。
【００８２】
前記判別機構６は、遊技球振分誘導路ＧＧを通った遊技球を受容する受容部材２５２Ｃおよび遊技球振分誘導路ＢＢを通って落下した遊技球を受容する受容部材２９２Ｃと、前記受容部材２５２Ｃおよび２９２Ｃの回転範囲を規制するための制止部材２５２Ｓおよび２９２Ｓと、前記受容部材２５２Ｃおよび２９２Ｃと一体となって落下してきた遊技球の自重により回転する回転部材９９６によって構成されている。なお、前記回転部材９９６の回転動作には一定量の抵抗が付与されており、前記受容部材２５２Ｃまたは２９２Ｃが落下してきた遊技球の自重による押圧等の外部から力が加えられた時には移動するが、外部から力が加えられていない時には移動しない構成となっている。
【００８３】
本第２実施例のパチンコ遊技機は前記振分機構５によって遊技球の自重により回転して遊技球を振り分けることにより、異なった方向に回転部材９９６が回転動作することによって、回転連絡機構７によって回転動作が連絡して前記回転部材９９６と回転連絡機構７を介して同方向に回転する回転ギア１００１Ｇと一体となって回転して報知する回転式報知役物９９５上に配設された「×」の報知図柄９７５ａおよび「○」の報知図柄９７５ｂが、遊技者にとって視認可能な前記遊技盤１００の上方中央部に配設された報知窓としての透明なクリアプレート９８２を介して報知されることにより、前記回転式報知役物９９５の動作態様が前記第２種非電動役物１２ないし１５への入賞順序の適否に基づく役物の動作態様によって報知するように構成した点を特徴とする。
【００８４】
前記回転連絡機構７は、図１６に示されるように、前記回転部材９９６と一体となって回転する回転ギア９９６Ｇと、該回転ギア９９６Ｇと噛み合う歯部が内面に形成された連結ベルト９９６Ｂによって連絡された回転ギア９９７Ｇと、当該回転ギア９９７Ｇと一体となって回転する回転ギア９９８Ｇと、該回転ギア９９８Ｇと噛み合う歯部が内面に形成された連結ベルト９９８Ｂによって連絡された回転ギア９９９Ｇと、当該回転ギア９９９Ｇと一体となって回転する回転ギア１０００Ｇと、該回転ギア１０００Ｇと噛み合う歯部が内面に形成された連結ベルト１０００Ｂによって連絡された回転ギア１００１Ｇとによって構成されている。
【００８５】
上記構成より成る本第２実施例のパチンコ遊技機は、図１４（ａ）に示されるように、遊技球が前記遊技球振分誘導路ＢＢを通って前記受容部材２９２Ｃに受容された時には、遊技球の自重によって前記回転部材９９６および前記回転ギア９９６Ｇが図中反時計方向に回転して、前記回転連絡機構７によって回転動作が連絡して前記回転部材９９６と同方向に回転する回転ギア１００１Ｇと一体となって回転する回転式報知役物９９５の「×」と描かれた報知図柄９７５ａが前記クリアプレート９８２に対向する位置で停止する。また図１４（ｂ）に示されるように、遊技球が前記遊技球振分誘導路ＧＧを通って前記受容部材２５２Ｃに受容された時には、遊技球の自重によって前記回転部材９９６および前記回転ギア９９６Ｇが図中時計方向に回転して、前記回転連絡機構７によって回転動作が連絡され前記回転部材９９６と同方向に回転する回転ギア１００１Ｇと一体となって回転する回転式報知役物９９５の「○」と描かれた報知図柄９７５ｂが前記クリアプレート９８２に対向する位置で停止するように構成されている。
【００８６】
なお、受容部材２５２Ｃまたは２９２Ｃにおいて前記受容部材２５２Ｃまたは２９２Ｃの受容部に受容された遊技球は図１４（ｂ）または（ａ）に示される位置まで前記回転部材９９６を押圧回転すると、前記受容部材２５２Ｃまたは２９２Ｃと前記制止部材２５２Ｓまたは２５２Ｓが接触した位置において再び遊技球導出路の下流側部位２５２Ｄ、２９２Ｄへと誘導供給され、図中下方の賞球払出スイッチＳへと向かう。
【００８７】
以下において、上記構成の本第２実施例における前記回転式報知役物９９５によって報知される役物の動作態様を説明する。
【００８８】
本第２実施例のパチンコ遊技機における前記第１種非電動役物１０および１１に遊技球が入賞すると遊技球が移動する遊技球導出路２０２および２１２は、前記振分機構５の前記受容部３５２Ｃおよび３９２Ｃに連絡していないため、前記回転式報知役物９９５は回転しない。同様に、前記入賞口１６および１７に遊技球が入賞すると遊技球が移動する遊技球導出路２６２および２７２は前記振分機構５の前記受容部３５２Ｃおよび３９２Ｃに連絡していないため、前記回転式報知役物９９５は回転しない。
【００８９】
一方、前記振分機構５が図１５（ａ）に示される状態にある時に、前記第２種非電動役物１２ないし１４の前記左誘導部材および右誘導部材に誘導されて遊技球が入賞すると、図１５（ｃ）に示されるように遊技球導出路２９２を介して移動した遊技球が、前記振分機構５の受容部３９２Ｃを半時計方向に押圧回転させるとともに、前記遊技球振分誘導路ＧＧへと落下移動するため、該遊技球がその自重により前記受容部材２５２Ｃおよび回転部材９９６を図中時計方向に押圧回転させることによって、前記回転連絡機構７によって回転動作が連絡して前記回転部材９９６と同方向に回転する回転ギア１００１Ｇと一体となって回転する回転式報知役物９９５の「○」と描かれた報知図柄９７５ｂが透明な前記クリアプレート９８２を介して報知される。
【００９０】
なお、前記振分機構５が図１５（ｂ）に示される状態にある時に、前記第２種非電動役物１２ないし１４の前記左誘導部材および右誘導部材に誘導されて遊技球が入賞すると、図１５（ｄ）に示されるように遊技球導出路２９２を介して移動した遊技球が、前記振分機構５の誘導部３９２Ｇを押圧するが、前記振分機構５が図１５（ｂ）に示される状態にある時は前記受容部３９２Ｃと固定の遊技球振分誘導路壁Ｗが接触して前記振分機構５の図中反時計方向への回転動作を規制するため、前記誘導部３９２Ｇおよび振分機構５は回転しない。すなわち、前記第２種非電動役物１２ないし１４の前記左誘導部材および右誘導部材に誘導されて入賞した遊技球は前記誘導部３９２Ｇによってその移動方向が９０度変更され水平方向の前記遊技球振分誘導路ＢＢへと誘導されるため、該遊技球がその自重により前記受容部材２９２Ｃおよび回転部材９９６を図中反時計方向に押圧回転させることによって、前記回転連絡機構７によって回転動作が連絡して前記回転部材９９６と同方向に回転する回転ギア１００１Ｇと一体となって回転する回転式報知役物９９５の「×」と描かれた報知図柄９７５ａが透明な前記クリアプレート９８２を介して報知される。
【００９１】
また、前記振分機構５が図１５（ａ）に示される状態にある時に、前記第２種非電動役物１５の前記左誘導部材および右誘導部材に誘導されて遊技球が入賞すると、図１５（ｅ）に示されるように遊技球導出路２５２を介して移動した遊技球が、前記振分機構５の誘導部３５２Ｇを押圧するが、前記振分機構５が図１５（ａ）に示される状態にある時は前記受容部３５２Ｃと固定の遊技球振分誘導路壁Ｗが接触して前記振分機構５の図中時計方向への回転動作を規制するため、前記誘導部材３５２Ｇおよび振分機構５は回転しない。すなわち、前記第２種非電動役物１５の前記左誘導部材および右誘導部材に誘導されて入賞した遊技球は前記誘導部３５２Ｇによってその移動方向が９０度変更され水平方向の前記遊技球振分誘導路ＧＧへと誘導されるため、該遊技球がその自重により前記受容部材２５２Ｃおよび回転部材９９６を図中時計方向に押圧回転させることによって、前記回転連絡機構７によって回転動作が連絡して前記回転部材９９６と同方向に回転する回転ギア１００１Ｇと一体となって回転する回転式報知役物９９５の「○」と描かれた報知図柄９７５ｂが透明な前記クリアプレート９８２を介して報知される。
【００９２】
なお、前記振分機構５が図１５（ｂ）に示される状態にある時に、前記第２種非電動役物１５の前記左誘導部材および右誘導部材に誘導されて遊技球が入賞すると、図１５（ｆ）に示されるように遊技球導出路２５２を介して移動した遊技球が、前記振分機構５の受容部３５２Ｃを時計方向に押圧回転させるとともに、前記遊技球振分誘導路ＧＧへと落下移動するため、該遊技球がその自重により前記受容部材２５２Ｃおよび回転部材９９６を図中時計方向に押圧回転させることによって、前記回転連絡機構７によって回転動作が連絡して前記回転部材９９６と同方向に回転する回転ギア１００１Ｇと一体となって回転する回転式報知役物９９５の「○」と描かれた報知図柄９７５ｂが透明な前記クリアプレート９８２を介して報知される。
【００９３】
以下、上記構成および作用の本第２実施例のパチンコ遊技機の効果について説明する。
【００９４】
本第２実施例のパチンコ遊技機は、前記第２種非電動役物１２ないし１５へ入賞した遊技球の動きに基づき作動する前記回転式報知役物９９５が、前記第２種非電動役物１２ないし１５への入賞順序が遊技者にとって有利かどうかで異なった役物の動作態様によって報知するので、検知手段を用いることなく安価な部品構成によって、遊技者が報知された役物の動作態様によって前記第２種非電動役物１２ないし１５への入賞が遊技者にとって有利な入賞であったかどうかを知ることができるという効果を奏する。
【００９５】
また、前記回転式報知役物９９５によって報知される動作態様によって前記第２種非電動役物１２ないし１５への入賞が、遊技者にとって有利となる入賞であったかどうかを報知するため、遊技者に対して間接的に遊技者にとって有利となる前記第２種非電動役物１２ないし１５への入賞順序の学習を可能にすることができるので、遊技者は遊技を行いながら興趣を持って遊技方法を習得することができるという効果を奏する。
【００９６】
本第２実施例のパチンコ遊技機は、前記判別機構６が前記遊技球の動きにより入賞した第２種非電動役物１２ないし１５を判別するとともに、前記第２種非電動役物１２ないし１５への入賞が遊技者にとって有利かどうかを判別して、前記報知手段としての前記回転式報知役物９９５が前記判別機構６の判別に基づいて、前記第２種非電動役物１２ないし１５への入賞順序が遊技者にとって有利かどうかで異なった動作をするので、検知手段を用いることなく安価な部品構成によって、遊技者が報知された役物の動作態様によって前記第２種非電動役物１２ないし１５への入賞が遊技者にとって有利な入賞であったかどうかを知ることができるという効果を奏する。
【００９７】
本第２実施例のパチンコ遊技機は、前記判別機構６が前記遊技球の落下位置によって揺動方向が異なる回転部材９９６によって判別するので、検知手段を用いることなく安価な部品構成によって、前記第２種非電動役物１２ないし１５への入賞が遊技者にとって有利な入賞であったかどうかを判別することができるという効果を奏する。
【００９８】
本第２実施例のパチンコ遊技機は、前記判別機構６が前記遊技球が入賞した前記第２種非電動役物１２ないし１５によって回転方向が異なり、前記遊技球の供給導路２５２Ｄまたは２９２Ｄを振り分ける回転機構によって判別するので、検知手段を用いることなく安価な機械的な部品構成によって、前記第２種非電動役物１２ないし１５への入賞が遊技者にとって有利な入賞であったかどうかを判別することができるという効果を奏する。
【００９９】
本第２実施例のパチンコ遊技機は、前記回転式報知役物９９５が、回転動作によって前記第２種非電動役物１２ないし１５への入賞が、遊技者にとって有利となる入賞であったかどうかを報知するので、遊技者が報知された前記回転式報知役物９９５の動作態様により興趣をもって前記第２種非電動役物１２ないし１５への入賞が有利であったかどうかを知ることができるという効果を奏する。
【０１００】
本第２実施例のパチンコ遊技機は、前記第２種非電動役物１２ないし１４の前記左誘導部材および右誘導部材に誘導されて入賞した遊技球を前記遊技盤１００の後方に形成された遊技球導出路２９２において同一経路を通過するように構成したので、前記複数の入賞装置の中で役割が同一の入賞装置への入賞を１つの遊技球導出路によって検出したので、必要となる遊技球導出路の数を削減することによりパチンコ遊技機の製造コストを低減することができるという効果を奏する。
【０１０１】
また、本第２実施例のパチンコ遊技機は、前記遊技盤１００の後方に形成された遊技球導出路２０２、２１２、２５２、２６２、２７２、２９２および３０２を通って、賞球払出制御を開始するための賞球払出スイッチＳを通過するように構成したので、パチンコ遊技機製造に必要となる入賞検知スイッチの数を削減することによりパチンコ遊技機の製造コストを低減することができるという効果を奏する。
【０１０２】
本第２実施例のパチンコ遊技機は、前記遊技盤１００の略上方中央部に前記回転式報知役物９９５の報知図柄である「×」または「○」の表示を可能にする透明な前記クリアプレート９８２を配設したので、遊技者は所望する流下経路へ遊技球を打ち出すための操作ハンドルの調整を行いながら、透明な前記クリアプレート９８２を介して報知されている前記第２種非電動役物１２ないし１５への入賞が遊技者にとって有利な入賞となるかどうかに基づいて報知される前記回転式報知役物９９５の報知図柄である「×」または「○」を確認することができるという効果を奏する。
【０１０３】
さらに本第２実施例のパチンコ遊技機は、前記回転部材９９６と前記回転報知役物９９５としての回転部材との間を複数のギアと噛み合うベルトより成る前記回転連絡機構７により連絡するようにしたので、前記回転部材９９６と回転式報知役物９９５の配設位置の自由度が高まり、遊技球が見やすいその他の視点による任意の位置に配設することを可能にするという効果を奏する。
【実施例３】
【０１０４】
本第３実施例のパチンコ遊技機は前記第１発明ないし第５発明および第１４発明の実施例であり、図１７に示されるように入賞検知スイッチ２０ないし２７およびゲート進入検知スイッチ２８より出力された入賞情報および後述する検知順序に基づいて時計の形をした役物９９２の短針または長針の指す位置（角度）が異なる役物の動作態様を選択する役物の動作態様割振手段８６を備えたことを特徴とするもので、以下相違点を中心に説明する。
【０１０５】
なお前記役物の動作態様割振手段８６は、図１８に示されるように遊技者にとって有利となる順序で遊技球が第２種非電動役物１２ないし１５の前記左誘導部材および右誘導部材に誘導されて入賞した場合に、選択される役物の動作態様が互いに関連して違和感のない役物の動作態様を形成するように構成されているものである。
【０１０６】
第３実施例のパチンコ遊技機は、図１、図４ないし図１０、図１７ないし図１９および図２１に示されるように、遊技盤１００に、遊技球が入球しやすい拡開状態と、遊技球が入球しにくい閉鎖状態を備えた第１種非電動役物１０および１１と、遊技球が入球しやすい拡開状態と、遊技球が入球しにくい閉鎖状態を備えた第２種非電動役物１２、１３、１４および１５とが配設されている。
【０１０７】
前記入賞検知手段２は、各入賞装置への入賞を検知して夫々の入賞情報を出力する入賞検知スイッチ２０ないし２７によって構成される。
【０１０８】
前記報知手段９は、図２１に示されるように前記遊技盤１００の下側右方の非遊技領域に配設された前記時計の形をした役物９９２と、前記入賞検知スイッチ２０ないし２７およびゲート進入検知スイッチ２８より出力された入賞情報に基づいて設定された順序で、前記時計の形をした役物９９２の短針または長針の指す位置（角度）が異なる役物の動作態様を出力するステッピングモーター９９２Ｍによって構成される。
【０１０９】
第３実施例のパチンコ遊技機は、前記入賞検知スイッチ２０ないし２７およびゲート進入検知スイッチ２８より出力された入賞情報および検知順序に基づいて前記時計の形をした役物９９２によって報知する役物の動作態様を選択する役物の動作態様割振手段８６と、遊技球の進入によって前記役物の動作態様割振手段８６における検知順序をリセットする左ゲート３０、中ゲート３１および右ゲート３２と、該左ゲート３０、中ゲート３１または右ゲート３２に遊技球が進入したことを検知するゲート進入検知スイッチ２８を備えている。
【０１１０】
以下において、本第３実施例における前記時計の形をした役物９９２によって報知される役物の動作態様の決定制御を説明する。
【０１１１】
本第３実施例のパチンコ遊技機における前記役物の動作態様割振手段８６は図１８に示されるように、第１種非電動役物１０および１１における入賞を検知する入賞検知スイッチ２０および２１に対しては検知順序によらず役物の動作態様（サ）として表される同一の役物の動作態様が選択され、入賞口１６および１７における入賞を検知する入賞検知スイッチ２６および２７に対しては検知順序によらず役物の動作態様（タ）として表される同一の役物の動作態様が選択される。なお、役物の動作態様（サ）については、前記時計の形をした役物９９２の長針が１２時の方向を中心として２分を示す位置と５８分を示す位置を１秒間揺動させるものであり、役物の動作態様（タ）については、前記時計の形をした役物９９２の長針が１２時の方向を中心として３分を示す位置と５７分を示す位置を１秒間揺動させるものである。
【０１１２】
一方、第２種非電動役物１２ないし１５における入賞を検知する入賞検知スイッチ２２ないし２５に対しては、図１８に示されるように検知順序に応じた役物の動作態様（ア）ないし役物の動作態様（コ）、役物の動作態様（ア）´ないし役物の動作態様（コ）´、役物の動作態様（ア）´´ないし役物の動作態様（コ）´´および役物の動作態様（コ）´´´が選択されるように構成されている。
なお、図１８に示される前記役物の動作態様割振手段８６における検知順序は前記左ゲート３０、中ゲート３１または右ゲート３２に遊技球が進入したことを前記ゲート進入検知スイッチ２８において検知した時にリセットされ、前記第２種非電動役物１２ないし１５の左誘導部材および右誘導部材に誘導されて入賞した遊技球を前記入賞検知スイッチ２２ないし２５において検知した時に次の検知順序へと移行する。
【０１１３】
最初に、遊技球の打ち出しが開始される。この時点における前記役物の動作態様割振手段８６の検知順序は「１」となる。
【０１１４】
ここで遊技球が前記第１種非電動役物１０に入賞すると、図１８に示される前記役物の動作態様割振手段８６の入賞検知スイッチ２０・検知順序「１」の項目が参照され前記時計の形をした役物９９２において役物の動作態様（サ）が報知される。同様に、遊技球が前記第１種非電動役物１１に入賞すると、前記役物の動作態様割振手段８６の入賞検知スイッチ２１・検知順序「１」の項目が参照され前記時計の形をした役物９９２において役物の動作態様（サ）が報知される。
【０１１５】
また、遊技球が前記入賞口１６に入賞すると、前記役物の動作態様割振手段８６の入賞検知スイッチ２６・検知順序「１」の項目が参照され前記時計の形をした役物９９２において役物の動作態様（タ）が報知され、遊技球が前記入賞口１７に入賞すると、前記役物の動作態様割振手段８６の入賞検知スイッチ２７・検知順序「１」の項目が参照され前記時計の形をした役物９９２において役物の動作態様（タ）が報知される。
【０１１６】
次に、遊技球が前記左ゲート３０に進入すると、前記変換機構１２Ｔおよび１３Ｔが作動して前記第２種非電動役物１２および第２種非電動役物１３が拡開状態となり、前記時計の形をした役物９９２において役物の動作態様（ナ）が報知されるとともに、前記役物の動作態様割振手段８６における検知順序がリセットされ検知順序は「１」となる。以下においては、この状態を「状態１」として説明する。なお、役物の動作態様（ナ）については前記時計の形をした役物９９２の短針を１時の方向に揺動させた後停止させるものとする。
【０１１７】
「状態１」において、前記第２種非電動役物１２の上入賞口より遊技球が入賞すると、本第２実施例のパチンコ遊技機は前記第２種非電動役物１２の上入賞口より入賞した遊技球を検知する入賞検知スイッチを備えていないため、当然として該入賞情報は前記役物の動作態様割振手段８６へ出力されないので前記時計の形をした役物９９２によって役物の動作態様は報知されない。
【０１１８】
一方「状態１」において、第２種非電動役物１２の前記左誘導部材５０および右誘導部材５１に誘導されて遊技球が入賞すると、図１８に示される前記役物の動作態様割振手段８６の入賞検知スイッチ２２・検知順序「１」の項目が参照され前記時計の形をした役物９９２において役物の動作態様（ア）´´が報知される。また、前記第２種非電動役物１２は拡開状態から閉鎖状態へと変換されるとともに前記第２種非電動役物１５は閉鎖状態から拡開状態へと変換され、前記役物の動作態様割振手段８６の検知順序は「１」から「２」へと移行される。
【０１１９】
上述したように前記左ゲート３０に遊技球が進入した後、前記第２種非電動役物１２の前記左誘導部材５０および右誘導部材５１に誘導されて遊技球が入賞すると、前記第２種非電動役物１３および１５は拡開状態にあり、前記役物の動作態様割振手段８６の検知順序は「２」である。以下においては、この状態を「状態２」として説明する。
【０１２０】
「状態２」において前記第２種非電動役物１３の上入賞口より遊技球が入賞すると、本第３実施例のパチンコ遊技機は前記第２種非電動役物１３の上入賞口より入賞した遊技球を検知する入賞検知スイッチを備えていないため、当然として該入賞情報は前記役物の動作態様割振手段８６へ出力されないので前記時計の形をした役物９９２によって役物の動作態様は報知されない。
【０１２１】
また「状態２」において、第２種非電動役物１３の前記左誘導部材および右誘導部材に誘導されて遊技球が入賞すると、図１８に示される前記役物の動作態様割振手段８６の入賞検知スイッチ２３・検知順序「２」の項目が参照され前記時計の形をした役物９９２において役物の動作態様（ウ）´が報知される。また、前記第２種非電動役物１３は拡開状態から閉鎖状態へと変換されるとともに前記第２種非電動役物１５は拡開状態を維持し、前記役物の動作態様割振手段８６の検知順序は「２」から「３」へと移行される。
【０１２２】
一方「状態２」において、第２種非電動役物１５の前記左誘導部材および右誘導部材に誘導されて遊技球が入賞すると、図１８に示される前記役物の動作態様割振手段８６の入賞検知スイッチ２５・検知順序「２」の項目が参照され前記時計の形をした役物９９２において役物の動作態様（イ）が報知される。また、前記第２種非電動役物１５は拡開状態から閉鎖状態へと変換されるとともに、前記役物の動作態様割振手段８６の検知順序は「２」から「３」へと移行される。
【０１２３】
すなわち、「状態２」において遊技者にとって有利な入賞となる前記第２種非電動役物１５の前記左誘導部材および右誘導部材に誘導されて遊技球が入賞すると、役物の動作態様（イ）が報知され「状態１」において報知された役物の動作態様（ア）´´と連続性を有した役物の動作態様として遊技者に報知される。一方、「状態２」において遊技者にとって不利な入賞となる前記第２種非電動役物１３の前記左誘導部材および右誘導部材に誘導されて遊技球が入賞すると、役物の動作態様（ウ）´が報知され「状態１」において報知された役物の動作態様（ア）´´と連続性の無い役物の動作態様として遊技者に報知される。
【０１２４】
なお一例として、役物の動作態様（ア）ないし役物の動作態様（コ）で報知される役物の動作情報は、役物の動作態様（ア）については前記時計の形をした役物９９２の短針を２時の方向に揺動させた後停止させるものとし、役物の動作態様（イ）については前記時計の形をした役物９９２の短針を３時の方向に揺動させた後停止させるものとし、役物の動作態様（ウ）については前記時計の形をした役物９９２の短針を４時の方向に揺動させた後停止させるものとする。
【０１２５】
役物の動作態様（エ）ないし役物の動作態様（コ）については、上記した役物の動作態様（ア）ないし役物の動作態様（ウ）と同様に、前記時計の形をした役物９９２の短針を５時ないし１１時の方向に揺動させた後停止させるものとする。すなわち、役物の動作態様（コ）については前記時計の形をした役物９９２の短針を１１時の方向に揺動させた後停止させるものである。
【０１２６】
また、役物の動作態様（ア）´ないし役物の動作態様（コ）´については、役物の動作態様（ア）ないし役物の動作態様（コ）において停止させた前記時計の形をした役物９９２の短針より１分進んだ位置において該短針を停止させるものとする。また、役物の動作態様（ア）´´ないし役物の動作態様（コ）´´については、役物の動作態様（ア）ないし役物の動作態様（コ）において停止させた前記時計の形をした役物９９２の短針より１分前の位置において該短針を停止させるものとする。つまり、役物の動作態様に付帯する「´」または「´´」は、役物の動作態様の報知時間にわずかな変化を加えるものではあるが、役物の動作態様の基本に変更を加えるものでは無く役物の動作の発生態様の連続性に大きな影響を与えるものではないのである。なお、役物の動作態様（コ）´´´については、時計の形をした役物９９２の短針を１１時の方向に揺動させた後５７分を示す位置と５３分を示す位置を１秒間揺動させるものである。
【０１２７】
すなわち、図１８に示される前記役物の動作態様割振手段８６における役物の動作態様については「役物の動作態様（ア）´→役物の動作態様（イ）→役物の動作態様（ウ）´´→…」のように「´」または「´´」を考慮せず五十音順に役物の動作態様が報知された場合には連続性を有して違和感のない役物の動作態様を形成して、「役物の動作態様（ア）´´→役物の動作態様（ウ）→役物の動作態様（ウ）´→…」のように「´」または「´´」を考慮せず五十音順に役物の動作態様が報知されない場合には連続性の無いちぐはぐな順序の役物の動作の発生態様として遊技者に報知されるものである。
【０１２８】
上述したように前記左ゲート３０に遊技球が進入した後、前記第２種非電動役物１２の前記左誘導部材５０および右誘導部材５１に誘導されて遊技球が入賞して、その後前記第２種非電動役物１５の前記左誘導部材および右誘導部材に誘導されて遊技球が入賞すると、前記第２種非電動役物１３は拡開状態にあり、前記役物の動作態様割振手段８６の検知順序は「３」である。以下においては、この状態を「状態３」として説明する。
【０１２９】
「状態３」において第２種非電動役物１３の前記左誘導部材および右誘導部材に誘導されて遊技球が入賞すると、図１８に示される前記役物の動作態様割振手段８６の入賞検知スイッチ２３・検知順序「３」の項目が参照され前記時計の形をした役物９９２において役物の動作態様（ウ）´が報知される。また、前記第２種非電動役物１３は拡開状態から閉鎖状態へと変換されるとともに前記第２種非電動役物１５は閉鎖状態から拡開状態へと変換され、前記役物の動作態様割振手段８６の検知順序は「３」から「４」へと移行される。
【０１３０】
上述したように前記左ゲート３０に遊技球が進入した後、前記第２種非電動役物１２の前記左誘導部材５０および右誘導部材５１に誘導されて遊技球が入賞して、その後前記第２種非電動役物１５の前記左誘導部材および右誘導部材に誘導されて遊技球が入賞して、さらに前記第２種非電動役物１３の前記左誘導部材および右誘導部材に誘導されて遊技球が入賞すると、前記第２種非電動役物１５は拡開状態にあり、前記役物の動作態様割振手段８６の検知順序は「４」である。以下においては、この状態を「状態４」として説明する。
【０１３１】
「状態４」において第２種非電動役物１５の前記左誘導部材および右誘導部材に誘導されて遊技球が入賞すると、図１８に示される前記役物の動作態様割振手段８６の入賞検知スイッチ２５・検知順序「４」の項目が参照され前記時計の形をした役物９９２において役物の動作態様（エ）が報知される。また、前記第２種非電動役物１５は拡開状態から閉鎖状態へと変換され、前記役物の動作態様割振手段８６の検知順序は「４」から「５」へと移行される。
【０１３２】
ここで前記第２種非電動役物１４の上入賞口より遊技球が入賞すると、前記第２種非電動役物１４は閉鎖状態から拡開状態へと変換される。なお、前記役物の動作態様割振手段８６の検知順序は「５」を維持する。以下においては、この状態を「状態５」として説明する。
【０１３３】
次に「状態５」において、第２種非電動役物１４の前記左誘導部材および右誘導部材に誘導されて遊技球が入賞すると、図１８に示される前記役物の動作態様割振手段８６の入賞検知スイッチ２４・検知順序「５」の項目が参照され前記時計の形をした役物９９２において役物の動作態様（オ）が報知される。また、前記第２種非電動役物１４は拡開状態から閉鎖状態へと変換されるとともに前記第２種非電動役物１５は閉鎖状態から拡開状態へと変換され、前記役物の動作態様割振手段８６の検知順序は「５」から「６」へと移行される。以下においては、この状態を「状態６」として説明する。
【０１３４】
「状態６」において第２種非電動役物１５の前記左誘導部材および右誘導部材に誘導されて遊技球が入賞すると、図１８に示される前記役物の動作態様割振手段８６の入賞検知スイッチ２５・検知順序「６」の項目が参照され前記時計の形をした役物９９２において役物の動作態様（カ）が報知される。また、前記第２種非電動役物１５は拡開状態から閉鎖状態へと変換され、前記役物の動作態様割振手段８６の検知順序は「６」から「７」へと移行される。以下においては、この状態を「状態７」として説明する。
【０１３５】
このように前記左ゲート３０、中ゲート３１または右ゲート３２に遊技球が進入した後の、前記第２種非電動役物１２ないし１５への入賞の一連の流れにおいて、前記第２種非電動役物１２ないし１４のいずれかの上入賞口より遊技球が入賞すると、該上入賞口より入賞した第２種非電動役物１２ないし１４のいずれかへの前記左誘導部材および右誘導部材に誘導されての入賞と、これに伴う第２種非電動役物１５の前記左誘導部材および右誘導部材に誘導されての入賞の２回分の入賞権利が発生し、結果として前記役物の動作態様割振手段８６における検知順序も２回移行することになる。
【０１３６】
このため、前記役物の動作態様割振手段８６による役物の動作態様の割振については、前記第２種非電動役物１２ないし１４のいずれかの上入賞口より遊技球が入賞するたびに連続性を持った役物の動作態様が２つ追加されることが望ましいが、本第３実施例のパチンコ遊技機においては、前記役物の動作態様割振手段８６の入賞順序が「１１」以上の場合に前記第２種非電動役物１２ないし１５への前記左誘導部材および右誘導部材に誘導されて遊技球が入賞した場合の役物の動作態様は一律役物の動作態様（コ）´´´に統一されている。
【０１３７】
次に、「状態７」において、前記左ゲート３０、中ゲート３１または右ゲート３２に遊技球が進入すると、前記時計の形をした役物９９２の短針が１時の方向に揺動させた後停止するとともに、前記役物の動作態様割振手段８６の検知順序が「７」から「１」へとリセットされる。
【０１３８】
以下、上記構成より成る本第３実施例のパチンコ遊技機の作用および効果について説明する。
【０１３９】
上記作用を奏する第３実施例のパチンコ遊技機は、前記入賞検知スイッチ２０ないし２７およびゲート進入検知スイッチ２８が入賞装置への入賞を検知するとともに入賞情報を出力して、前記入賞検知スイッチ２０ないし２７およびゲート進入検知スイッチ２８の検知出力に基づき前記役物の動作態様割振手段８６において、入賞順序の適否に応じて設定された順序の役物の動作態様を選択するとともに前記時計の形をした役物９９２によって報知するので、遊技者が報知された役物の動作態様により前記入賞装置への入賞順序の適否を知ることができるという効果を奏する。
【０１４０】
本第３実施例のパチンコ遊技機は、前記ゲート進入検知スイッチ２８において遊技球の進入を検知した時に、前記時計の形をした役物９９２によって報知される役物の動作態様を決定する前記役物の動作態様割振手段８６の検知順序をリセットするので、前記ゲート進入検知スイッチ２８における遊技球の検知を契機として報知する役物の動作態様の順序を変更することにより、遊技者に興趣のある遊技を提供できるという効果を奏する。
【０１４１】
本第３実施例のパチンコ遊技機は、前記左ゲート３０、中ゲート３１および前記右ゲート３２への遊技球の進入によって、前記ゲート進入検知スイッチ２８において検知出力が出されるので、前記報知手段において報知される役物の動作態様の順序の基準を明確にするという効果を奏する。
【０１４２】
本第３実施例のパチンコ遊技機は、前記第２種非電動役物１２ないし１５への入賞により獲得する賞球数が遊技者にとって有利となる順序で入賞した場合には、前記役物の動作態様割振手段８６により入賞順序の適否に応じて設定された順序の役物の動作態様が互いに関連して違和感のない役物の動作態様の連続を形成するので、遊技者は報知された該役物の動作態様によって前記第２種非電動役物１２ないし１５への入賞した順序が遊技者にとって有利となる入賞順序であったかどうかを知ることができるという効果を奏する。
【０１４３】
本第３実施例のパチンコ遊技機は、報知された該役物の動作態様によって前記第２種非電動役物１２ないし１５への入賞した順序が遊技者にとって有利となる入賞順序であったかどうかを報知するため、遊技者に対して間接的に遊技者にとって有利となる入賞順序の学習を可能にすることができるので、遊技者が遊技を行いながら興趣を持って遊技方法を習得できるという効果を奏する。
【０１４４】
本第３実施例のパチンコ遊技機は、前記時計の形をした役物９９２の揺動動作またはおよび回転動作によって、入賞した前記第２種非電動役物１２ないし１５への入賞順序の適否を報知するので、遊技者が報知された役物の動作態様により興趣をもって前記第２種非電動役物１２ないし１５への入賞順序の適否を知ることができるという効果を奏する。
【実施例４】
【０１４５】
本第４実施例のパチンコ遊技機は前記第１発明ないし第５発明、第１４発明および第１５発明の実施例であり、図２０に示されるように、役物の動作態様割振手段８６２において検知順序に応じた役物の動作態様の割振パターンを３種類備え、役物の動作態様割振手段８６２における検知順序「１」において入賞した前記第２種非電動役物１２ないし１４のいずれかに応じて３種類の割振パターンを決定して、役物の動作態様割振手段８６２における検知順序「２」以降の報知する役物の動作態様を選択する構成とすることにより、前記第２種非電動役物１２ないし１４のいずれかを狙い打ちすることにより、遊技者の所望する役物の動作態様を選択可能として、遊技者の遊技への参加感または興趣を向上させたことが上述の第１実施例および第３実施例との主な相違点であり、以下相違点を中心に説明する。
【０１４６】
また、本第４実施例のパチンコ遊技機は、前記３種類の割振パターンについて、  前記第２種非電動役物１２ないし１５への入賞順序の適否に基づき時計の形をした役物９９３、後述する蝶の形をした役物９８３または龍の形をした役物９７３の揺動動作、回転動作、直線動作またはおよび往復動作によって報知する点が特徴である。
【０１４７】
第４実施例のパチンコ遊技機は図１７に示されるように、前記入賞検知スイッチ２０ないし２７よりおよびゲート進入検知スイッチ２８出力された入賞情報および前記検知順序に基づいて前記時計の形をした役物９９３、蝶の形をした役物９８３または龍の形をした役物９７３の揺動動作、回転動作、直線動作またはおよび往復動作によって報知する役物の動作態様を選択する役物の動作態様割振手段８６２を備えている。なお、本第４実施例のパチンコ遊技機は図２１に示されるように、前記遊技盤１００の右方および下側右方部分の非遊技領域において、該非遊技領域には前記時計の形をした役物９９３、蝶の形をした役物９８３または龍の形をした役物９７３が配設されている。
【０１４８】
前記龍の形をした役物９７３は、前記入賞検知スイッチ２０ないし２７の検知出力により作動するソレノイド９７３Ｓの駆動力によって前記遊技盤１００の右方の非遊技領域において、上下方向における停止する位置を１０段階変化可能な構成となっている。
【０１４９】
また、前記蝶の形をした役物９８３は、前記入賞検知スイッチ２０ないし２７の検知出力により作動するモータ９８３Ｍの駆動力によって前記遊技盤１００の下側右方の非遊技領域において、前記蝶の形をした役物９８３の羽根の揺動速度すなわち羽根の羽ばたく速度を１０段階変化可能な構成となっている。
【０１５０】
なお、前記時計の形をした役物９９３は、上述の第３実施例で説明した前記時計の形をした役物９９と同様の構成となっており、前記時計の形をした役物９９３の短針および長針を所定角度だけ回転駆動力により揺動動作および回転動作させるためのステッピングモーター９９３Ｍを備えている。
【０１５１】
以下において、本第４実施例における前記報知手段９を構成する前記龍の形をした役物９７３、蝶の形をした役物９８３または時計の形をした役物９９３によって報知される役物の動作態様の決定制御を説明する。
【０１５２】
本第４実施例のパチンコ遊技機は、図２０に示されるように前記役物の動作態様割振手段８６２が、前記第１種非電動役物１０および１１に対しては、上述した第３実施例のパチンコ遊技機における前記役物の動作態様割振手段８６と同様に役物の動作態様（サ）が選択されるとともに、前記入賞口１６および１７に対しても、上述した第３実施例のパチンコ遊技機における前記役物の動作態様割振手段８６と同様に役物の動作態様（タ）が選択される。
【０１５３】
一方、前記役物の動作態様割振手段８６２は、前記第２種非電動役物１２ないし１５に対しての役物の動作態様割振パターンを３種類備えている。前記役物の動作態様割振手段８６２の検知順序「１」に対しては図２０（ａ）に示されるように入賞検知スイッチ２２、２３および２４に対して役物の動作態様（ア）、役物の動作態様（Ａ）および役物の動作態様（１）が設定されている。
【０１５４】
ここで、上述した「状態１」において前記第２種非電動役物１２の前記左誘導部材５０および右誘導部材５１に誘導されて遊技球が入賞すると、図２０（ａ）に示される前記役物の動作態様割振手段８６２の入賞検知スイッチ２２・検知順序「１」の項目が参照され前記時計の形をした役物９９３において役物の動作態様（ア）が報知される。また、前記第２種非電動役物１２は拡開状態から閉鎖状態へと変換されるとともに前記第２種非電動役物１５は閉鎖状態から拡開状態へと変換され、前記役物の動作態様割振手段８６２の検知順序は「１」から「２」へと移行されるとともに、図２０（ｂ）に示されるように役物の動作態様（ア）に対して連続性を有する役物の動作態様（イ）ないし役物の動作態様（コ）によって構成される役物の動作態様割振パターンが決定される。
【０１５５】
一方、上述した「状態１」において前記第２種非電動役物１３の前記左誘導部材および右誘導部材に誘導されて遊技球が入賞すると、図２０（ａ）に示される前記役物の動作態様割振手段８６２の入賞検知スイッチ２３・検知順序「１」の項目が参照され前記蝶の形をした役物９８３において役物の動作態様（Ａ）が報知される。また、前記第２種非電動役物１３は拡開状態から閉鎖状態へと変換されるとともに前記第２種非電動役物１５は閉鎖状態から拡開状態へと変換され、前記役物の動作態様割振手段８６２の検知順序は「１」から「２」へと移行されるとともに、図２０（ｃ）に示されるように役物の動作態様（Ａ）に対して連続性を有する役物の動作態様（Ｂ）ないし役物の動作態様（Ｊ）によって構成される役物の動作態様割振パターンが決定される。
【０１５６】
前記役物の動作態様割振手段８６２における検知順序「２」以降についての役物の動作態様の決定制御については上述の第３実施例と同様に逐次選択されるものである。なお、図２０（ｄ）に示される役物の動作態様（２）ないし役物の動作態様（１０）によって構成される割振パターンについては、前記中ゲート３１および右ゲート３２に遊技球が進入した場合に拡開状態となる前記第２種非電動役物１４に対して、前記役物の動作態様割振手段８６２の検知順序が「１」である時に、該第２種非電動役物１４の左誘導部材および右誘導部材に誘導されて遊技球が入賞した場合に決定されるものである。
【０１５７】
上記構成より成る本第４実施例のパチンコ遊技機においては前記役物の動作態様割振手段８６２によって選択される役物の動作態様を一例として、役物の動作態様（ア）ないし役物の動作態様（コ）で報知される役物の動作情報を、上述した第２実施例において説明した役物の動作態様（ア）ないし役物の動作態様（コ）と同様のものとする。
【０１５８】
次に、役物の動作態様（Ａ）ないし役物の動作態様（Ｊ）で報知される役物の動作情報については、前記蝶の形をした役物９８３の羽の揺動速度を役物の動作態様（Ａ）から役物の動作態様（Ｊ）に対して遅いものから速いものの順に並べたものとする。
【０１５９】
また、役物の動作態様（１）ないし役物の動作態様（１０）で報知される役物の動作情報については、前記龍の形をした役物９７３の停止位置を役物の動作態様（１）から役物の動作態様（１０）に対して低いものから高いものの順に並べたものとする。
【０１６０】
以下、上記構成および作用の本第４実施例のパチンコ遊技機の効果について説明する。
【０１６１】
上記作用を奏する第４実施例のパチンコ遊技機は、前記役物の動作態様割振手段８６２が前記第２種非電動役物１２ないし１５に対しての役物の動作態様割振パターンを３種類備えていることにより、遊技状況に応じて多彩な役物の動作態様を報知することが可能であるので遊技者に対して興趣のある遊技を提供できるという効果を奏する。
【０１６２】
また、本第４実施例のパチンコ遊技機は、前記役物の動作態様割振手段８６２の検知順序が「１」である時において入賞した前記第２種非電動役物１２ないし１４のいずれかに応じて３種類の割振パターンを決定するため、遊技者は上述した３種類の割振パターンの所望する役物の動作態様を決定する第２種非電動役物１２ないし１４のいずれかを狙い打ちすることが可能であり、遊技者に対して遊技への参加感を高めるとともに、遊技に対しての興趣を維持することができるという効果を奏する。
【０１６３】
本第４実施例のパチンコ遊技機は、前記入賞検知スイッチ２０ないし２７が入賞装置への入賞を検知するとともに入賞情報を出力して、前記入賞検知スイッチ２０ないし２７の検知出力に基づき前記役物の動作態様割振手段８６２において、入賞順序の適否に応じて設定された順序の役物の動作態様を選択するとともに前記龍の形をした役物９７３、蝶の形をした役物９８３または時計の形をした役物９９３によって報知するので、遊技者が報知された役物の動作態様の順序により前記入賞装置への入賞順序の適否を知ることができるという効果を奏する。
【０１６４】
本第４実施例のパチンコ遊技機は、前記ゲート進入検知スイッチ２８において遊技球の進入を検知した時に、前記龍の形をした役物９７３、蝶の形をした役物９８３または時計の形をした役物９９３によって報知される役物の動作態様を決定する前記役物の動作態様割振手段８６２の検知順序をリセットするので、前記ゲート進入検知スイッチ２８における遊技球の検知を契機として報知する役物の動作態様の順序を変更するため、遊技者に興趣のある遊技を提供できるという効果を奏する。
【０１６５】
本第４実施例のパチンコ遊技機は、前記左ゲート３０、中ゲート３１および前記右ゲート３２への遊技球の進入によって、前記ゲート進入検知スイッチ２８において検知出力が出されるので、前記報知手段において報知される役物の動作態様の順序の基準を明確にするという効果を奏する。
【０１６６】
本第４実施例のパチンコ遊技機は、前記第２種非電動役物１２ないし１５への入賞により獲得する賞球数が遊技者にとって有利となる順序で入賞した場合には、前記役物の動作態様割振手段８６２により入賞順序の適否に応じて設定された順序の役物の動作態様が互いに関連して違和感のない役物の動作態様を形成するので、遊技者は報知された該役物の動作態様によって前記第２種非電動役物１２ないし１５への入賞した順序が遊技者にとって有利となる入賞順序であったかどうかを知ることができるという効果を奏する。
【０１６７】
本第４実施例のパチンコ遊技機は、報知された該役物の動作態様によって前記第２種非電動役物１２ないし１５への入賞した順序が遊技者にとって有利となる入賞順序であったかどうかを報知するため、遊技者に対して間接的に遊技者にとって有利となる入賞順序の学習を可能にするので、遊技者が遊技を行いながら興趣を持って遊技方法を習得することができるという効果を奏する。
【０１６８】
本第４実施例のパチンコ遊技機は、前記龍の形をした役物９７３が、役物の直線動作またはおよび往復動作によって入賞した前記第２種非電動役物１２ないし１５への入賞順序の適否を報知するので、遊技者が報知された役物の動作態様により興趣をもって前記第２種非電動役物１２ないし１５への入賞順序の適否を知ることができるという効果を奏する。
【０１６９】
本第４実施例のパチンコ遊技機は、前記蝶の形をした役物９８３および時計の形をした役物９９３が、役物の揺動動作またはおよび回転動作によって入賞した前記第２種非電動役物１２ないし１５への入賞順序の適否を報知するので、遊技者が報知された役物の動作態様により興趣をもって前記第２種非電動役物１２ないし１５への入賞順序の適否を知ることができるという効果を奏する。
【実施例５】
【０１７０】
本第５実施例のパチンコ遊技機は、前記第１発明ないし第５発明、第１４発明および第１５発明の実施例であり、図２２に示されるように前記入賞検知スイッチ２５および２９より出力された入賞情報および検知順序に基づいて前記龍の形をした役物９７３、蝶の形をした役物９８３または時計の形をした役物９９３によって報知する役物の動作態様が異なる役物の動作態様を選択する役物の動作態様割振手段８６３を備えたことを特徴とする。なお前記役物の動作態様割振手段８６３は、図２３に示されるように遊技者にとって有利となる順序で遊技球が第２種非電動役物１２ないし１５の前記左誘導部材および右誘導部材に誘導されて入賞した場合に、選択される役物の動作態様が互いに関連して違和感のない役物の動作態様を形成するように構成されているものであり、以下より相違点を中心に説明する。
【０１７１】
さらに、本第５実施例のパチンコ遊技機は、上述の第１実施例のパチンコ遊技機と同様に図３に示されるように前記第２種非電動役物１２ないし１４の前記左誘導部材および右誘導部材に誘導されて入賞した遊技球を前記遊技盤１００の後方に形成された遊技球導出路において同一経路を通過するように構成して、該同一経路に前記入賞検知スイッチを配設することにより、パチンコ遊技機製造に必要となる前記入賞検知スイッチの数を減らしたものである。
【０１７２】
また、本第５実施例のパチンコ遊技機は図２３（ａ）ないし（ｃ）に示されるように、役物の動作態様割振手段８６３において検知順序に応じた役物の動作態様の割振パターンを３種類備え、遊技球が前記左ゲート３０、中ゲート３１または右ゲート３２のいずれに進入したかに応じて３種類の割振パターンを決定して、役物の動作態様割振手段８６３における検知順序「１」以降の報知する役物の動作態様を選択する構成とすることにより、前記左ゲート３０、中ゲート３１または右ゲート３２のいずれかを狙い打ちすることにより、遊技者の所望する役物の動作態様を選択可能として、遊技者の遊技への参加感または興趣を向上させたことが上述の第１実施例ないし第４実施例との主な相違点である。
【０１７３】
第５実施例のパチンコ遊技機は、図１ないし図１０、図２２および図２３に示されるように前記第２種非電動役物１２ないし１４の入賞を検知して入賞情報を出力する入賞検知スイッチ２９と、前記第２種非電動役物１５の入賞を検知して入賞情報を出力する入賞検知スイッチ２５と、前記入賞検知スイッチ２５および２９より出力された入賞情報に基づいて設定された順序で役物の動作態様を出力する報知手段としての前記龍の形をした役物９７３、蝶の形をした役物９８３または時計の形をした役物９９３と、前記入賞検知スイッチ２５および２９より出力された入賞情報および検知順序に基づいて前記龍の形をした役物９７３、蝶の形をした役物９８３または時計の形をした役物９９３によって報知する役物の動作態様を選択する役物の動作態様割振手段８６３と、遊技球の進入によって前記役物の動作態様割振手段８６３における検知順序をリセットするとともに、前記役物の動作態様割振手段８６３における役物の動作態様の割振パターンを決定する左ゲート３０、中ゲート３１および右ゲート３２と、該左ゲート３０への遊技球の進入を検知するゲート進入検知スイッチ２８ａ、該中ゲート３１への遊技球の進入を検知するゲート進入検知スイッチ２８ｂおよび該右ゲート３２への遊技球の進入を検知するゲート進入検知スイッチ２８ｃを備えている。
【０１７４】
以下において、本第５実施例における前記龍の形をした役物９７３、蝶の形をした役物９８３または時計の形をした役物９９３によって報知される役物の動作態様の決定制御について説明する。
【０１７５】
本第５実施例のパチンコ遊技機における前記第１種非電動役物１０および１１への遊技球の入賞に関しては、前記役物の動作態様割振手段８６３へと該入賞情報を出力する入賞検知スイッチを備えていないため、当然として前記龍の形をした役物９７３、蝶の形をした役物９８３または時計の形をした役物９９３によって役物の動作態様は報知されない。同様に、前記入賞口１６および１７に関しても、前記役物の動作態様割振手段８６３へと該入賞情報を出力する入賞検知スイッチを備えていないため、当然として前記龍の形をした役物９７３、蝶の形をした役物９８３または時計の形をした役物９９３によって役物の動作態様は報知されない。  
【０１７６】
前記役物の動作態様割振手段８６３は前記第２種非電動役物１２ないし１５の前記左誘導部材および右誘導部材に誘導による遊技球の入賞に対しての役物の動作態様割振パターンを３種類備えている。なお、遊技球が前記左ゲート３０に進入して、前記ゲート進入検知スイッチ２８ａにおいて検知出力が出された場合には図１９（ａ）に示されるように役物の動作態様（ア）ないし役物の動作態様（コ）によって構成される役物の動作態様割振パターンが決定され、遊技球が前記中ゲート３１に進入して、前記ゲート進入検知スイッチ２８ｂにおいて検知出力が出された場合には図２３（ｂ）に示されるように役物の動作態様（Ａ）ないし役物の動作態様（Ｊ）によって構成される役物の動作態様割振パターンが決定され、遊技球が前記右ゲート３２に進入して、前記ゲート進入検知スイッチ２８ｃにおいて検知出力が出された場合には図２３（ｃ）に示されるように役物の動作態様（１）ないし役物の動作態様（１０）によって構成される役物の動作態様割振パターンが決定される。
【０１７７】
上記構成より成る本第５実施例のパチンコ遊技機においては前記役物の動作態様割振手段８６３によって選択される役物の動作態様（ア）ないし役物の動作態様（コ）、役物の動作態様（Ａ）ないし役物の動作態様（Ｊ）または役物の動作態様（１）ないし役物の動作態様（１０）については上述した第４実施例で説明した役物の動作態様と同様とする。
【０１７８】
ここで、上述した「状態１」において前記第２種非電動役物１２の前記左誘導部材５０および右誘導部材５１に誘導されて遊技球が入賞すると、図２３（ａ）に示される前記役物の動作態様割振手段８６３の入賞検知スイッチ２９・検知順序「１」の項目が参照され前記時計の形をした役物９９３において役物の動作態様（ア）が報知される。また、前記第２種非電動役物１２は拡開状態から閉鎖状態へと変換されるとともに前記第２種非電動役物１５は閉鎖状態から拡開状態へと変換され、前記役物の動作態様割振手段８６３の検知順序は「１」から「２」へと移行される。
【０１７９】
一方、上述した「状態１」において前記第２種非電動役物１３の前記左誘導部材および右誘導部材に誘導されて遊技球が入賞すると、図２３（ａ）に示される前記役物の動作態様割振手段８６３の入賞検知スイッチ２９・検知順序「１」の項目が参照され前記時計の形をした役物９９３において役物の動作態様（ア）が報知される。また、前記第２種非電動役物１３は拡開状態から閉鎖状態へと変換されるとともに前記第２種非電動役物１５は閉鎖状態から拡開状態へと変換され、前記役物の動作態様割振手段８６３の検知順序は「１」から「２」へと移行される。
【０１８０】
すなわち、前記第２種非電動役物１２ないし１４の前記左誘導部材および右誘導部材に誘導されて入賞した遊技球を検知する入賞検知スイッチ２９が共通であることから、当然として「状態１」において前記第２種非電動役物１２の前記左誘導部材５０および右誘導部材５１に誘導されて遊技球が入賞するのか、前記第２種非電動役物１３の前記左誘導部材および右誘導部材に誘導されて遊技球が入賞するのかに対して、前記役物の動作態様割振手段８６３において選択される役物の動作態様は同一であるとともにその後の遊技状況に変わりはない。
【０１８１】
つまり、本第５実施例のパチンコ遊技機はパチンコ遊技機製造に必要となる前記入賞検知スイッチの数を減らすとともに、遊技者にとって有利となる前記第２種非電動役物１２ないし１５への入賞順序を遊技者が、遊技を通じて学習することを可能にするという作用を実現するものである。
【０１８２】
なお、前記役物の動作態様割振手段８６３における検知順序「２」以降についての役物の動作態様の決定制御については第３実施例および第４実施例と同様に逐次選択されるものである。
【０１８３】
以下、上記構成および作用の本第５実施例のパチンコ遊技機の効果について説明する。
【０１８４】
上記作用を奏する本第５実施例のパチンコ遊技機は、前記役物の動作態様割振手段８６３が前記第２種非電動役物１２ないし１５に対しての役物の動作態様割振パターンを３種類備えていることにより、遊技状況に応じて多彩な役物の動作態様を報知することが可能であるので遊技者に対して興趣のある遊技を提供できるという効果を奏する。
【０１８５】
また、本第５実施例のパチンコ遊技機は、遊技球が前記左ゲート３０、中ゲート３１または右ゲート３２のいずれかに進入するかに応じて前記役物の動作態様割振手段８６３の３種類の割振パターンを決定するため、遊技者は上述した３種類の割振パターンの所望する役物の動作態様を決定する前記左ゲート３０、中ゲート３１または右ゲート３２のいずれかを狙い打ちすることが可能であり、遊技者に対して遊技への参加感を高めるとともに遊技に対しての興趣を維持することができるという効果を奏する。
【０１８６】
本第５実施例のパチンコ遊技機は、前記入賞検知スイッチが入賞装置への入賞を検知するとともに入賞情報を出力して、前記入賞検知スイッチの検知出力に基づき前記役物の動作態様割振手段８６３において、検知順序に応じて設定された順序の役物の動作態様を選択するとともに前記龍の形をした役物９７３、蝶の形をした役物９８３または時計の形をした役物９９３によって報知するので、遊技者が報知された役物の動作態様の順序により前記入賞装置への入賞順序の適否を知ることができるという効果を奏する。
【０１８７】
本第５実施例のパチンコ遊技機は、前記ゲート進入検知スイッチ２８において遊技球の進入を検知した時に、前記龍の形をした役物９７３、蝶の形をした役物９８３または時計の形をした役物９９３によって報知される役物の動作態様を決定する前記役物の動作態様割振手段８６３の検知順序をリセットするとともに、報知する役物の動作態様の割振パターンを決定するので、前記ゲート進入検知スイッチ２８における遊技球の検知を契機として報知する役物の動作態様の種類またはおよび順序を変更することにより、遊技者に興趣のある遊技を提供できるという効果を奏する。
【０１８８】
本第５実施例のパチンコ遊技機は、前記左ゲート３０、中ゲート３１および前記右ゲート３２への遊技球の進入によって、前記ゲート進入検知スイッチ２８ａないし２８ｃにおいて検知出力が出されるので、前記報知手段において報知される役物の動作態様の順序の基準を明確にするという効果を奏する。
【０１８９】
本第５実施例のパチンコ遊技機は、前記第２種非電動役物１２ないし１５への入賞により獲得する賞球数が遊技者にとって有利となる順序で入賞した場合には、前記役物の動作態様割振手段８６３により検知順序に応じて設定された順序の役物の動作態様が互いに関連して違和感のない役物の動作態様を形成するので、遊技者は報知された該役物の動作態様によって前記第２種非電動役物１２ないし１５への入賞した順序が遊技者にとって有利となる入賞順序であったかどうかを知ることができるという効果を奏する。
【０１９０】
本第５実施例のパチンコ遊技機は、報知された該役物の動作態様によって前記第２種非電動役物１２ないし１５への入賞した順序が遊技者にとって有利となる入賞順序であったかどうかを報知するため、遊技者に対して間接的に遊技者にとって有利となる入賞順序の学習を可能にすることができるので、遊技者が遊技を行いながら興趣を持って遊技方法を習得することができるという効果を奏する。
【０１９１】
本第５実施例のパチンコ遊技機は、前記第２種非電動役物１２ないし１４の前記左誘導部材および右誘導部材に誘導されて入賞した遊技球を前記遊技盤１００の後方に形成された遊技球導出路において同一経路を通過するように構成して、該同一経路に前記入賞検知スイッチ２９を配設したので、前記複数の入賞装置の中で役割が同一のものの入賞を１つの検知手段によって検出したので、必要となる検知手段の数を削減することによりパチンコ遊技機の製造コストを低減することができるという効果を奏する。
【０１９２】
本第５実施例のパチンコ遊技機は、前記龍の形をした役物９７３が、役物の直線動作またはおよび往復動作によって入賞した前記第２種非電動役物１２ないし１５への入賞順序の適否を報知するので、遊技者が報知された役物の動作態様により興趣をもって前記第２種非電動役物１２ないし１５への入賞順序の適否を知ることができるという効果を奏する。
【０１９３】
本第５実施例のパチンコ遊技機は、前記蝶の形をした役物９８３および時計の形をした役物９９３が、役物の揺動動作またはおよび回転動作によって入賞した前記第２種非電動役物１２ないし１５への入賞順序の適否を報知するので、遊技者が報知された役物の動作態様により興趣をもって前記第２種非電動役物１２ないし１５への入賞順序の適否を知ることができるという効果を奏する。
【実施例６】
【０１９４】
本第６実施例のパチンコ遊技機は前記第１発明、第７発明および第１５発明の実施例であり、前記第２種非電動役物１２ないし１５の前記左誘導部材および右誘導部材に誘導されて入賞する毎に、前記入賞検知スイッチ２９および２５による検知出力と前記入賞検知スイッチ２９および２５により検知された前回の検知出力とを比較する入賞情報比較手段９１を備え、該入賞情報比較手段の比較結果に基づいて、前回の入賞に対する今回の入賞の順序が遊技者にとって有利な順序かどうかを判定し、判定結果に応じて龍の形をした役物９７５において異なった動作範囲で往復動作する役物の動作態様によって報知するように構成した点が、上述の第１実施例ないし第５実施例との主な相違点であり、以下相違点を中心に説明する。
【０１９５】
本第６実施例のパチンコ遊技機は、上述の第１実施例、第４実施例および第５実施例のパチンコ遊技機と同様に図３に示されるように前記第２種非電動役物１２ないし１４の前記左誘導部材および右誘導部材に誘導されて入賞した遊技球を前記遊技盤１００の後方に形成された遊技球導出路において同一経路を通過するように構成して、該同一経路に前記入賞検知スイッチ２９を配設することにより、パチンコ遊技機製造に必要となる前記入賞検知スイッチの数を減らしたものである。
【０１９６】
第６実施例のパチンコ遊技機は、図２４に示されるように、前記第２種非電動役物１２ないし１４への入賞を検知して入賞情報を出力する入賞検知スイッチ２９と、前記第２種非電動役物１５の入賞を検知して入賞情報を出力する入賞検知スイッチ２５と、前記入賞検知スイッチ２５および２９より出力された入賞情報と、該入賞検知スイッチ２５および２９により出力された前回の入賞情報とを比較して前記龍の形をした役物９７５の往復動作する動作範囲を変化させた役物の動作態様を選択する入賞情報比較手段９１と、遊技球の進入によって前記第２種非電動役物１２ないし１５の一部を拡開状態へと変換する左ゲート３０、中ゲート３１および右ゲート３２を備えている。
【０１９７】
以下において、本第６実施例における前記龍の形をした役物９７５によって報知される役物の動作態様の順序の決定制御を説明する。
【０１９８】
本第６実施例のパチンコ遊技機において前記入賞口１６および１７への入賞が前記入賞検知スイッチ２６および２７において検知されると、前記入賞口１６および１７への入賞に関しては入賞する順序が遊技者にとって有利であるかどうかに関与しないため前記入賞情報比較手段９１において入賞情報は比較せず、前記龍の形をした役物９７５によって役物の動作態様（ア）を報知する。また、前記第１種非電動役物１０および１１への入賞が前記入賞検知スイッチ２０および２１において検知されると、前記第１種非電動役物１０および１１への入賞に関しては入賞する順序が遊技者にとって有利であるかどうかに関与しないため前記入賞情報比較手段９１において入賞情報は比較せず、前記龍の形をした役物９７５によって役物の動作態様（ア）を報知する。なお、役物の動作態様（ア）については、前記龍の形をした役物９７５が可動領域の下から３分の１の高さまで直線移動した後、該直線移動における移動速度より遅い移動速度で可動領域の下端まで直線移動するものとする。なお、前記龍の形をした役物９７５による報知がなされていない時は、前記龍の形をした役物９７５は常に可動領域の下端に存在するものとする。なお、前記龍の形をした役物９７５は上述した第４実施例と同様に駆動源としての９７５Ｓを備えている。  
【０１９９】
ここで、上述した「状態１」において前記第２種非電動役物１２の前記左誘導部材５０および右誘導部材５１に誘導されて遊技球が入賞して、前記入賞検知スイッチ２９において入賞が検知されると、前記入賞情報比較手段９１において比較対象となる前回の入賞情報は存在しない。なお、前記入賞情報比較手段９１においては比較対象となる前回の入賞情報が存在しない場合には今回の入賞情報は遊技者にとって有利であったと判断されるので、前記龍の形をした役物９７５において役物の動作態様（カ）が報知される。また、前記第２種非電動役物１２は拡開状態から閉鎖状態へと変換されるとともに前記第２種非電動役物１５は閉鎖状態から拡開状態へと変換され、前記入賞検知スイッチ２９において取得された入賞情報が前記ＲＡＭ８３において一時的に記憶される。なお、役物の動作態様（カ）については、前記龍の形をした役物９７５が可動領域の上端まで直線移動した後、該直線移動における移動速度より遅い移動速度で可動領域の下端まで直線移動するものとする。  
【０２００】
次に上述した「状態２」において、前記第２種非電動役物１５の前記左誘導部材および右誘導部材に誘導されて遊技球が入賞して、前記入賞検知スイッチ２５において入賞が検知されると、前記入賞情報比較手段９１において前回取得された前記入賞検知スイッチ２９における入賞に対する今回取得された前記入賞検知スイッチ２５による入賞の順序が遊技者にとって有利となる順序かどうかを比較判定して、遊技者にとって有利となる順序であると判定されるため前記龍の形をした役物９７５において役物の動作態様（カ）が報知されるとともに、前記入賞検知スイッチ２５において取得された入賞情報が前記ＲＡＭ８３において一時的に記憶される。
【０２０１】
一方上述した「状態２」において、前記第２種非電動役物１３の前記左誘導部材および右誘導部材に誘導されて遊技球が入賞して、前記入賞検知スイッチ２９において入賞が検知されると、前記入賞情報比較手段９１において前回取得された前記入賞検知スイッチ２９における入賞に対する今回取得された前記入賞検知スイッチ２９による入賞の順序が遊技者にとって有利となる順序かどうかを比較判定して、遊技者にとって有利とならない順序であると判定されるため前記龍の形をした役物９７５において役物の動作態様（サ）が報知されるとともに、前記入賞検知スイッチ２９において取得された入賞情報が前記ＲＡＭ８３において一時的に記憶される。なお、役物の動作態様（サ）については、前記龍の形をした役物９７５が移動することなく、可動領域の下端において停止状態を続けるものとする。
【０２０２】
上述したように、前記入賞情報比較手段９１において、今回取得した第２種非電動役物への入賞が前回取得した第２種非電動役物への入賞に対して遊技者にとって有利となる順序と判断された場合においては、前記龍の形をした役物９７５によって役物の動作態様（カ）を報知する。また、前記入賞情報比較手段９１において、今回取得した第２種非電動役物への入賞情報が前回取得した第２種非電動役物への入賞情報と比較して遊技者にとって有利とならない順序と判断される場合においては、前記龍の形をした役物９７５によって役物の動作態様（サ）を報知する。
【０２０３】
本第６実施例における前記入賞検知スイッチ２０、２１、２５ないし２７および２９における入賞検知から前記入賞情報比較手段９１における比較判定に基づいて報知する役物の動作態様を選択する流れを図２５に示されるフローチャートを用いて説明する。
【０２０４】
遊技球が発射され遊技が開始され、最初にステップ１０１において、前記第１種非電動役物１０または１１に遊技球が入賞すると、前記入賞検知スイッチ２０または２１において該入賞情報が出力される。ここで、前記第１種非電動役物１０または１１への入賞に関しては前記入賞情報比較手段９１において入賞情報の比較は行なわれず、ステップ１０２において、前記龍の形をした役物９７５によって役物の動作態様（ア）が報知される。
【０２０５】
次にステップ１０３において、前記入賞口１６または１７に遊技球が入賞すると、前記入賞検知スイッチ２６または２７において該入賞情報が出力される。ここで、前記入賞口１６または１７への入賞に関しては前記入賞情報比較手段９１において入賞情報の比較は行なわれず、ステップ１０４において、前記龍の形をした役物９７５によって役物の動作態様（ア）が報知される。
【０２０６】
次にステップ１０５において、前記第２種非電動役物１２ないし１５に遊技球が入賞すると、前記入賞検知スイッチ２９または２５において該入賞情報が出力される。ここでステップ１０６において、前記入賞情報比較手段９１において前記ＲＡＭ８３に一時的に記憶された前回の入賞情報と、前記入賞検知スイッチ２２ないし２５によって今回取得された今回の入賞情報とが比較され、前回の入賞に対する今回の入賞の順序が遊技者にとって有利であったかどうかが判定される。
【０２０７】
なおステップ１０７において、前記入賞情報比較手段９１における比較結果が遊技者にとって有利であったかどうか判断され、前記入賞情報比較手段９１における比較結果が遊技者にとって有利であった場合にはステップ１０８において、前記龍の形をした役物９７５によって役物の動作態様（カ）が報知されるとともに、ステップ１０９において、前記入賞検知スイッチ２９および２５によって取得された今回の入賞情報を前記ＲＡＭ８３において一時的に記憶する。
【０２０８】
また、前記入賞情報比較手段９１における比較結果が遊技者にとって有利でなかった場合にはステップ１１０において、前記龍の形をした役物９７５によって役物の動作態様（サ）が報知されるとともに、ステップ１１１において、前記入賞検知スイッチ２９または２５によって取得された今回の入賞情報を前記ＲＡＭ８３において一時的に記憶する。
【０２０９】
以下、上記構成および作用の本第６実施例のパチンコ遊技機の効果について説明する。
【０２１０】
上記作用を奏する第６実施例のパチンコ遊技機は、前記入賞検知スイッチ２９および２５が前記第２種非電動役物１２ないし１５への入賞を検知するとともに入賞情報を出力して、前記第２種非電動役物１２ないし１５に入賞する毎に、前記入賞情報比較手段９１によって前記入賞検知スイッチ２９および２５により検知された前回の入賞情報と前記入賞検知スイッチ２９および２５により検知された今回の入賞情報とを比較することにより、前回の入賞に対する今回の入賞の順序が遊技者にとって有利であるかどうかの前記入賞情報比較手段９１の比較結果に基づき前記龍の形をした役物９７５によって、前回の入賞情報に対して今回の入賞情報が遊技者にとって有利かどうかで異なった動作範囲で往復動作する役物の動作態様によって報知するので、遊技者が報知された役物の動作態様により前記入賞装置への入賞順序が遊技者にとって有利かどうかを知ることができるという効果を奏する。
【０２１１】
上記作用を奏する第６実施例のパチンコ遊技機は、報知された該役物の動作態様の順序によって前記第２種非電動役物１２ないし１５への入賞した順序が遊技者にとって有利となる入賞順序であったかどうかを報知するため、遊技者に対して間接的に遊技者にとって有利となる入賞順序の学習を可能にすることができるので、遊技者が遊技を行いながら興趣を持って遊技方法を習得することができるという効果を奏する。
【０２１２】
本第６実施例のパチンコ遊技機は、前記第２種非電動役物１２ないし１４の前記左誘導部材および右誘導部材に誘導されて入賞した遊技球を前記遊技盤１００の後方に形成された遊技球導出路において同一経路を通過するように構成して、該同一経路に前記入賞検知スイッチ２９を配設したので、特定の組み合わせにより組み合わせた複数の入賞装置に対して、必要となる入賞検知装置の数を削減することによりパチンコ遊技機の製造コストを低減することができるという効果を奏する。
【０２１３】
本第６実施例のパチンコ遊技機は、前記ＲＡＭ８３において一時的に記憶される前記入賞検知スイッチ２９および２５において取得された入賞情報は最大で１つであるので、高価な前記ＲＡＭ８３において必要となるメモリ容量を低減することにより安価な部品によってパチンコ遊技機を製造することができるという効果を奏する。
【０２１４】
本第６実施例のパチンコ遊技機は、前記龍の形をした役物９７５が、役物の直線動作またはおよび往復動作によって入賞した前記第２種非電動役物１２ないし１５への入賞順序の適否を報知するので、遊技者が報知された役物の動作態様により興趣をもって前記第２種非電動役物１２ないし１５への入賞順序の適否を知ることができるという効果を奏する。
【実施例７】
【０２１５】
本第７実施例のパチンコ遊技機は、前記第１発明、第８発明および第１４発明の実施例であり、前記第２種非電動役物１２ないし１５の開閉状態を検知する開閉状態検知手段９２を備え、前記第２種非電動役物１２ないし１５の前記左誘導部材および右誘導部材に誘導されて入賞する毎に、前記入賞検知スイッチ２２ないし２５による入賞検知出力と、入賞前の前記開閉状態検知手段９２による前記第２種非電動役物１２ないし１５の開閉状態の検知出力に基づいて入賞が有利かどうかを判定するための入賞判定テーブル９３に従って、遊技者にとって有利な入賞の順序かどうかを判定する判定手段９４における判定結果に基づいて有利かどうかで、蝶の形をした役物９８６の揺動動作状態が異なった役物の動作態様によって報知するように構成した点が、上述の第１実施例ないし第６実施例との主な相違点であり、以下相違点を中心に説明する。すなわち、入賞前の前記第２種非電動役物１２ないし１５の開閉状態とどの入賞装置に入賞したのかによって、有利な入賞順序かどうかを判定する点に特徴がある。
【０２１６】
第７実施例のパチンコ遊技機は、図２６ないし図２８に示されるように前記第２種非電動役物１２ないし１５の開閉状態を検知する開閉状態検知手段９２と、前記第２種非電動役物１２ないし１５に入賞する毎に、前記入賞検知スイッチ２２ないし２５により検知された入賞情報および前記開閉状態検知手段９２における検知出力に基づいて構成される入賞判定テーブル９３に従って、前記第２種非電動役物１２ないし１５への入賞が遊技者にとって有利な入賞かどうかを判定する判定手段９４と、前記判定手段９４における判定結果に基づいて前記第２種非電動役物１２ないし１５への入賞が遊技者にとって有利かどうかで異なった役物の動作態様を出力する報知手段としての蝶の形をした役物９８６と、遊技球の進入によって前記第２種非電動役物１２ないし１５の一部を拡開状態へと変換する左ゲート３０、中ゲート３１および右ゲート３２を備えている。なお、前記蝶の形をした役物９８６は上述した第４実施例と同様に駆動源としてのモータ９８６Ｍを備えている。
【０２１７】
前記開閉状態検知手段９２は、前記第２種非電動役物１２の開閉状態を検知する開閉状態検知装置１１２、前記第２種非電動役物１３の開閉状態を検知する開閉状態検知装置１１３、前記第２種非電動役物１４の開閉状態を検知する開閉状態検知装置１１４および前記第２種非電動役物１５の開閉状態を検知する開閉状態検知装置１１５により構成される。
【０２１８】
前記開閉状態検知装置１１２は、図２７（ａ）に示されるように、前記遊技盤１００の裏面に前記第２種非電動役物１２に対して一定距離下方に離して配設され、一端が固着されたバネ部材より成る薄板矩形状の揺動部材１２０と、前記揺動部材１２０の他端に回転自在に配設されたローラ状部材１２１とから成り、前記第２種非電動役物１２が閉鎖状態の時には、前記ローラ状部材１２１が前記第２のガイド部材５５の下端に当接して図中下方に押圧されるので、前記ローラ状部材１２１を一端に支持する前記揺動部材１２０が他端を中心として図中時計方向に揺動するので、前記揺動部材１２０と非接触の接点部材１２２が揺動してきた前記揺動部材１２０に接触して図中下方へ押圧され、前記第２種非電動役物１２が閉鎖状態であることを検知するように構成されている。
【０２１９】
なお、図２７（ｂ）に示されるように、前記第２種非電動役物１２が拡開状態の時には、前記ローラ状部材１２１が図中反時計方向に揺動した前記第２のガイド部材５５と非接触状態となるので、前記ローラ状部材１２１を一端に支持する前記揺動部材１２０が他端を中心として図中反時計方向に揺動するので、前記揺動部材１２０と接点部材１２２は非接触状態を維持して、前記第２種非電動役物１２が拡開状態であることを検知するように構成されている。
【０２２０】
また、前記開閉状態検知装置１１３ないし１１５については前記開閉状態検知装置１１２と同様の構成であるため説明を省略する。
なお、前記開閉状態検知手段９２は、各開閉状態検知装置１１２ないし１１５の開閉状態のデータを一時的に保存する一時保存手段を備え、前記蝶の形をした役物９８６による役物の動作態様の報知が行なわれると、前記開閉状態検知装置１１２ないし１１５によって検知された前記第２種非電動役物１２ないし１５の開閉状態の情報によって、前記一時保存手段のデータが上書きされるものである。
【０２２１】
前記入賞判定テーブル９３は、図２８に示されるように、前記第２種非電動役物１２の前記左誘導部材５０および右誘導部材５１に誘導されて遊技球が入賞した場合に参照されるテーブルＡと、前記第２種非電動役物１３の前記左誘導部材および右誘導部材に誘導されて遊技球が入賞した場合に参照されるテーブルＢと、前記第２種非電動役物１４の前記左誘導部材および右誘導部材に誘導されて遊技球が入賞した場合に参照されるテーブルＣと、前記第２種非電動役物１５の前記左誘導部材および右誘導部１に誘導されて遊技球が入賞した場合に参照されるテーブルＤとにより構成され、予め前記ＲＯＭ８２に格納されている。
【０２２２】
以下において、本第７実施例における前記蝶の形をした役物９８６によって報知される役物の動作態様の決定制御を説明する。
【０２２３】
本第７実施例のパチンコ遊技機は、前記入賞口１６および１７への入賞が前記入賞検知スイッチ２６および２７において検知されると、前記入賞口１６および１７への入賞に関しては入賞する順序が遊技者にとって有利であるかどうかに関与しないため、前記蝶の形をした役物９８６によって役物の動作態様（ア）を報知する。また、前記第１種非電動役物１０および１１への入賞が前記入賞検知スイッチ２０および２１において検知されると、前記第１種非電動役物１０および１１への入賞に関しては入賞する順序が遊技者にとって有利であるかどうかに関与しないため、前記蝶の形をした役物９８６によって役物の動作態様（ア）を報知する。なお、役物の動作態様（ア）については、前記蝶の形をした役物９８６の羽が比較的揺動速度の遅い揺動状態にある場合においては、１ｓ間比較的速度の速い揺動動作をした後、次に信号が入力されるまでの間比較的揺動速度の遅い揺動状態を維持するものとし、前記蝶の形をした役物９８６の羽が停止状態にある場合においては、１ｓ間比較的速度の速い揺動動作をした後、次に信号が入力されるまでの間停止状態を維持するものとする。
【０２２４】
ここで、上述した「状態１」において前記第２種非電動役物１２の前記左誘導部材５０および右誘導部材５１に誘導されて遊技球が入賞して、前記入賞検知スイッチ２２において入賞が検知されると、前記入賞検知スイッチ２２における入賞データおよび前記一時保存手段に保存された入賞前の前記第２種非電動役物１２ないし１５の開閉状態のデータに基づき、図２８に示される前記入賞判定テーブル９３のテーブルＡにおける上から４行目を参照して、該入賞が遊技者にとって有利な入賞であると判定され、前記蝶の形をした役物９８６において役物の動作態様（カ）が報知される。なお、前記第２種非電動役物１２は拡開状態から閉鎖状態へと変換され、前記第２種非電動役物１５は閉鎖状態から拡開状態へと変換されるとともに、前記一時保存手段において保存する開閉状態のデータが、前記第２種非電動役物１２は閉鎖状態、前記第２種非電動役物１３は拡開状態、前記第２種非電動役物１４は閉鎖状態および前記第２種非電動役物１５は拡開状態であると上書きされる。なお、役物の動作態様（カ）については、前記蝶の形をした役物９８６の羽が１ｓ間比較的速度の速い揺動動作をした後、次に信号が入力されるまでの間比較的揺動速度の遅い揺動状態を維持するものとする。
【０２２５】
また、上述した「状態２」において前記第２種非電動役物１５の前記左誘導部材および右誘導部材に誘導されて遊技球が入賞して、前記入賞検知スイッチ２５において入賞が検知されると、前記入賞検知スイッチ２５における入賞データおよび前記一時保存手段に保存された入賞前の前記第２種非電動役物１２ないし１５の開閉状態のデータに基づき、図２８に示される前記入賞判定テーブル９３のテーブルＤにおける上から６行目を参照して該入賞が遊技者にとって有利な入賞であると判定され、前記蝶の形をした役物９８６において役物の動作態様（カ）が報知される。なお、前記第２種非電動役物１５は拡開状態から閉鎖状態へと変換されるとともに、前記一時保存手段において保存する開閉状態のデータが、前記第２種非電動役物１２は閉鎖状態、前記第２種非電動役物１３は拡開状態、前記第２種非電動役物１４は閉鎖状態および前記第２種非電動役物１５は閉鎖状態であると上書きされる。
【０２２６】
一方、上述した「状態２」において前記第２種非電動役物１３の前記左誘導部材および右誘導部材に誘導されて遊技球が入賞して、前記入賞検知スイッチ２３において入賞が検知されると、前記入賞検知スイッチ２３における入賞データおよび前記一時保存手段に保存された入賞前の前記第２種非電動役物１２ないし１５の開閉状態のデータに基づき、図２８に示される前記入賞判定テーブル９３のテーブルＢにおける上から７行目を参照して該入賞が遊技者にとって有利とならない入賞であると判定され、前記蝶の形をした役物９８６において役物の動作態様（サ）が報知される。なお、前記第２種非電動役物１３は拡開状態から閉鎖状態へと変換され、前記第２種非電動役物１５は拡開状態を維持するとともに、前記一時保存手段において保存する開閉状態のデータが、前記第２種非電動役物１２は閉鎖状態、前記第２種非電動役物１３は閉鎖状態、前記第２種非電動役物１４は閉鎖状態および前記第２種非電動役物１５は拡開状態であると上書きされる。なお、役物の動作態様（サ）については、前記蝶の形をした役物９８６の羽が１ｓ間比較的速度の速い揺動動作をした後、次に信号が入力されるまでの間停止状態を維持するものとする。
【０２２７】
本第７実施例のパチンコ遊技機においては、上述したように前記第２種非電動役物１２ないし１５の前記左誘導部材および右誘導部材に誘導されて遊技球が入賞する毎に、上記した前記入賞判定テーブル９３を参照して前記蝶の形をした役物９８６によって報知する役物の動作態様を選択する。
【０２２８】
なお、本第７実施例のパチンコ遊技機においては役物の動作態様（カ）を遊技者にとって有利な入賞であると判定された場合に報知される役物の動作態様として、役物の動作態様（サ）を遊技者にとって有利な入賞とならないと判定された場合に報知される役物の動作態様とする。
【０２２９】
以下、上記構成および作用の本第７実施例のパチンコ遊技機の効果について説明する。
【０２３０】
上記作用を奏する第７実施例のパチンコ遊技機は、前記入賞検知スイッチ２２ないし２５が前記第２種非電動役物１２ないし１５への入賞を検知して入賞情報を出力するとともに、前記開閉状態検知手段９２が前記第２種非電動役物１２ないし１５の開閉状態を検知して、前記第２種非電動役物１２ないし１５に入賞する毎に、前記入賞検知スイッチ２２ないし２５により検知された入賞情報および前記開閉状態検知手段９２における検知出力に基づいて構成される前記入賞判定テーブル９３に従って、前記第２種非電動役物１２ないし１５への入賞が遊技者にとって有利かどうかを判定するとともに、該判定結果に基づき前記蝶の形をした役物９８６によって、該入賞が遊技者にとって有利かどうかで異なった役物の動作態様によって報知するので、遊技者は報知された役物の動作態様の順序により前記第２種非電動役物１２ないし１５への入賞が遊技者にとって有利となる入賞かどうかを知ることができるという効果を奏する。
【０２３１】
本第７実施例のパチンコ遊技機は、報知された該役物の動作態様によって前記第２種非電動役物１２ないし１５への入賞した順序が遊技者にとって有利となる入賞順序であったかどうかを報知するため、遊技者に対して間接的に遊技者にとって有利となる入賞順序の学習を可能にすることができるので、遊技者が遊技を行いながら興趣を持って遊技方法を習得することができるという効果を奏する。
【０２３２】
本第７実施例のパチンコ遊技機は、前記第２種非電動役物１２ないし１５への入賞が前記入賞検知スイッチ２２ないし２５において検知される毎に、前記入賞判定テーブル９３を参照して、遊技者にとって有利となるかどうかを判定するため、前記入賞検知スイッチにおいて取得された入賞情報を前記ＲＡＭ８３に記憶する必要がないので、高価な前記ＲＡＭ８３において必要となるメモリ容量を削減することにより安価な部品によってパチンコ遊技機を製造することができるという効果を奏する。
【０２３３】
本第７実施例のパチンコ遊技機は、前記蝶の形をした役物９８６が、役物の揺動動作によって入賞した前記第２種非電動役物１２ないし１５への入賞順序の適否を報知するので、遊技者が報知された役物の動作態様により興趣をもって前記第２種非電動役物１２ないし１５への入賞順序の適否を知ることができるという効果を奏する。
【０２３４】
上述の実施例は、説明のために例示したもので、本発明としてはそれらに限定されるものではなく、特許請求の範囲、発明の詳細な説明および図面の記載から当業者が認識することができる本発明の技術的思想に反しない限り、変更および付加が可能である。
【０２３５】
前記第１実施例ないし第７実施例においては、前記報知手段９の一例として前記報知役物９９、龍の形をした役物９７３および９７５、蝶の形をした役物９８３および９８６、時計の形をした役物９９２および９９３および回転式報知役物９９５を前記遊技盤１００に配設した形態を採用したが、本発明はこれに限定されるものではなく、パチンコ遊技機の外枠などの遊技者が視認可能な位置において報知手段を配設する構成を採用することが出来るものであり、どのような位置、装置または形態によって報知する役物の動作態様を発生させるかについては、本発明の効果を実現するにあたり有効的に適宜選択できるものであり、上述した前記報知役物９９、龍の形をした役物９７３および９７５、蝶の形をした役物９８３および９８６、時計の形をした役物９９２および９９３および回転式報知役物９９５によるものに限定されない。
【０２３６】
前記第１実施例のパチンコ遊技機については一例として、前記第２種非電動役物１２ないし１４に対応して設定された役物の動作態様を「役物の動作態様（ア）」として同一のものを採用したが、本発明はこれに限定されるものではなく前記第２種非電動役物１２ないし１４の前記左誘導部材および右誘導部材に誘導されて入賞した遊技球を検知する入賞検知スイッチを備え、前記第２種非電動役物１２に対応した役物の動作態様を「役物の動作態様（ア）」、前記第２種非電動役物１３に対応した役物の動作態様を「役物の動作態様（ウ）」および前記第２種非電動役物１４に対応した役物の動作態様を「役物の動作態様（エ）」として別の役物の動作態様を設定する形態を採ることが出来る。なお、上記した形態を採った場合には「役物の動作態様（ア）→役物の動作態様（イ）」、「役物の動作態様（ウ）→役物の動作態様（イ）」「役物の動作態様（エ）→役物の動作態様（イ）」「役物の動作態様（イ）→役物の動作態様（ア）」「役物の動作態様（イ）→役物の動作態様（ウ）」および「役物の動作態様（イ）→役物の動作態様（エ）」の順序で役物の動作態様が報知されると違和感のない役物の動作態様として意味を有して、「役物の動作態様（ア）→役物の動作態様（ウ）」「役物の動作態様（ア）→役物の動作態様（エ）」「役物の動作態様（ウ）→役物の動作態様（ア）」「役物の動作態様（ウ）→役物の動作態様（エ）」「役物の動作態様（エ）→役物の動作態様（ア）」および「役物の動作態様（エ）→役物の動作態様（ウ）」の順序で役物の動作態様が報知されると連続した役物の動作態様として順序またはつながりがちぐはぐになるように役物の動作態様（ア）ないし役物の動作態様（エ）を設定する。
【０２３７】
前記第２実施例のパチンコ遊技機においては、遊技球の入球しやすい拡開状態と、遊技球の入球しにくい閉鎖状態を備えた複数の入賞装置を有するパチンコ遊技機において、遊技球が複数の進入穴へ進入した時および入賞装置へ入賞した時に、入賞装置の拡開状態と閉鎖状態とを変換する変換機構と、入賞装置へ入賞した遊技球の動きに基づき作動する前記報知手段が、該入賞装置への入賞順序が遊技者にとって有利かどうかで異なった役物の動作態様によって報知する例について説明したが、音態様または光表示態様または機械的表示態様、電気的表示態様等の物理的表示態様によって報知することも可能であり、役物において音態様または光表示態様ならびに上述のその他の表示態様によって報知することも可能である。
【０２３８】
前記第２実施例のパチンコ遊技機においては、前記回転連絡機構７を用いることにより遊技球導出路２５２または２９２を通った遊技球の動きに基づいて動く前記遊技盤１００の下方の裏側に配設された回転部材９９６と離れた位置の前記遊技盤１００の上方中央部の前記クリアプレート９８２の裏側に配設された前記回転式報知役物９９５によって報知する構成としたが、本発明はこの形態に限定されるものではなく、報知役物を前記遊技盤１００の下方または下方の裏側に配設された回転部材９９６によってその報知を実施することにより前記回転連絡機構７を用いることなく遊技者への報知を実現するシンプルな構成の実施形態を採用することが出来る。
【０２３９】
第２実施例のパチンコ遊技機において、一例として前記報知図柄９７５ａおよびｂを「×」および「○」が描かれたものとしたが、本発明はこれに限定されるものではなく、効果的な報知演出を実現するものであれば動物、植物、キャラクター、その他の文字等またはこれらの組み合わせを適宜選択して用いることが出来る。
【０２４０】
前記第３実施例においては前記役物の動作態様割振手段８６の入賞順序が「１１」以上の場合に前記第２種非電動役物１２ないし１５への前記左誘導部材および右誘導部材に誘導されて遊技球が入賞した場合の役物の動作態様については、一律役物の動作態様（コ´´´）に統一したが、本発明はこれに限定されるものでなく前記役物の動作態様割振手段８６の入賞順序「１」から「１０」においての役物の動作態様割振と同様に連続性を持ったものとすることが出来る。また、入賞検知スイッチ２０、２１、２６および２７については前記役物の動作態様割振手段８６の入賞順序によらない役物の動作態様としたが、入賞順序に応じた役物の動作態様の順序を割振る構成とすることが出来る。
【０２４１】
前記第３実施例においては、前記入賞検知スイッチ２２ないし２４に対しての役物の動作態様を役物の動作態様（ア）ないし役物の動作態様（コ）、役物の動作態様（ア）´ないし役物の動作態様（コ）´および役物の動作態様（ア）´´ないし役物の動作態様（コ）´´を備えた構成としたが、本発明はこれに限定されるものでなく前記入賞検知手段２２ないし２４に対しての役物の動作態様を同一の（ア）ないし役物の動作態様（コ）とすることが出来る。
【０２４２】
前記第４実施例および第５実施例においては前記役物の動作態様割振手段８６２および８６３における入賞順序に応じた役物の動作態様の割振パターンを一例として３種類備える構成としたが、本発明はこれに限定されるものでなく該割振パターンを複数種類備え、該複数の割振パターンを遊技状況に応じて選択的に用いるものであればよい。
【０２４３】
前記第４実施例および第５実施例においては、前記役物の動作態様割振手段８６２および８６３によって選択される連続性を有する役物の動作態様を１０つの役物の動作態様すべてが報知された時に、繋がった新たな役物の動作態様として完結するものとしたが、本発明はこれに限定されるものでなく一例として、連続性を有する役物の動作態様が４つもしくは６つの役物の動作態様すべてが順に報知された時に、繋がった新たな役物の動作態様として完結するものとしてもよいし、これらに限定されるものではない。
【０２４４】
第４実施例のパチンコ遊技機においては、遊技球が前記第２種非電動役物１２ないし１４のいずれに進入するかに応じて役物の動作態様の種類を選択する構成とし、第５実施例のパチンコ遊技機においては、遊技球が前記左ゲート３０、中ゲート３１または右ゲート３２のいずれに進入するかに応じて役物の動作態様の種類を選択する構成としたが、本発明はこれに限定されるものではなく、前記入賞検知スイッチ２０ないし２７および２９またはゲート進入検知スイッチ２８ａないし２８ｃのいずれかにおいて検知出力が出された時に役物の動作態様の種類を選択する形態を採用することができる。また、遊技者が操作可能な操作ボタンを本発明のパチンコ遊技機に配設して、該操作ボタンを操作することにより役物の動作態様の種類を選択する形態を採用することもできる。
【０２４５】
前記第５実施例においては前記役物の動作態様割振手段８６３においては前記第２種非電動役物１２ないし１５の前記左誘導部材および右誘導部材の誘導による遊技球の入賞に対しての役物の動作態様割振パターンを一例として３種類備えた構成としたが、本発明はこれに限定されるものでなく図２３（ａ）に示される役物の動作態様割振パターン１種類のみとする形態を採用することが出来る。
【０２４６】
前記第１実施例、第５実施例および第６実施例においては、一例として前記第２種非電動役物１２ないし１４の前記左誘導部材および右誘導部材に誘導されて入賞した遊技球を前記遊技盤１００の後方に形成された遊技球導出路において同一経路を通過するように構成して、該同一経路に前記入賞検知スイッチを配設したが、本発明はこれに限定されるものではなく、前記第１種非電動役物１０および１１、前記第２種非電動役物１２ないし１５および前記入賞口１６および１７の何れの組み合わせに対して共通の入賞検知スイッチを備えるかは、本発明の効果を実現するにあたり有効的に適宜選択できるものである。
【０２４７】
前記第１実施例、第５実施例および第６実施例においては、前記第２種非電動役物１２ないし１４の前記左誘導部材および右誘導部材に誘導されて入賞した遊技球を前記遊技盤１００の後方に形成された遊技球導出路において同一経路を通過するように構成して、該同一経路に前記入賞検知スイッチを配設したが、本発明を第３実施例、第４実施例および第７実施例に適用することができる。
【０２４８】
前記第１実施例および第３実施例ないし第５実施例のパチンコ遊技機において報知する役物の動作態様の連続性については、上述したように一例として連続性を有する「役物の動作態様（ア）→役物の動作態様（イ）」と、連続性を有しないちぐはぐな「役物の動作態様（ア）→役物の動作態様（ウ）」によって前記入賞装置への入賞順序の適否を報知する構成としたが、本発明はこれらに限定されるものでなく、適当なタイミングで報知されると連続性を有する「役物の動作態様（ア）→発生のタイミングが適当な役物の動作態様（イ）」に対して、役物の動作態様（イ）を報知するタイミングを前後にずらすことにより連続性を有しないちぐはぐな「役物の動作態様（ア）→発生のタイミングがずれた役物の動作態様（イ）」を備えることによって、前記入賞装置への入賞順序の適否を報知する形態を採用することが出来る。
【０２４９】
前記第３実施例ないし第５実施例のパチンコ遊技機においては報知する役物の動作態様を選択する役物の動作態様割振手段を図１７に示されるようにメイン制御基板に備えた構成としたが、役物の動作態様割振手段をランプ声制御基板に格納して、入賞検知スイッチ等の検知出力に従いランプ声制御基板においてメイン制御基板とは独立して報知する役物の動作態様を選択する構成とすることが出来る。
【０２５０】
前記第６実施例または第７実施例のパチンコ遊技機においては、前記第２種非電動役物の左誘導部材および右誘導部材に誘導されて入賞した場合に、該入賞が遊技者にとって有利となる入賞であった時に前記龍の形をした役物９７５または蝶の形をした役物９８６によって報知する役物の動作態様を１種類の同一の役物の動作態様としたが、本発明はこれに限定されるものではなく第３実施例ないし第５実施例において記載したように、前記龍の形をした役物９７３、蝶の形をした役物９８３、時計の形をした役物９９２および９９３によって報知する役物の動作態様を複数種類備え、該入賞が遊技者にとって有利となる入賞であった時に前記龍の形をした役物９７３、蝶の形をした役物９８３、時計の形をした役物９９２および９９３によって報知される役物の動作態様が連続性を有する違和感のない役物の動作態様を形成するような形態を採用することが出来る。
【０２５１】
前記第１実施例ないし第７実施例に記載したパチンコ遊技機においては、一例として前記報知役物９９、龍の形をした役物９７３および９７５、蝶の形をした役物９８３および９８６、時計の形をした役物９９２および９９３および回転式報知役物９９５によって実現される役物の動作態様を用いての報知形態を採用したが、本発明はこれに限定されるものではなくスピーカ等を用いた音情報による報知形態、ＬＥＤまたはドット表示等を用いた光情報により実現される報知形態等を本発明の効果を実現するにあたり有効的に適宜組み合わせることが出来るものである。
【０２５２】
前記第６実施例においては、前記入賞情報比較手段９１の比較結果に基づいて、前回の入賞に対する今回の入賞の順序が遊技者にとって有利な順序でないと判定した後においても、前記龍の形をした役物９７５による報知を行なう構成としたが、本発明はこれに限定されるものでなく一例として、前回の入賞に対する今回の入賞の順序が遊技者にとって有利な順序でないと判定した後においては、前記龍の形をした役物９７５による報知を行なわない形態を採用することが出来る。なお、前記龍の形をした役物９７５による報知を停止した後には、前記左ゲート３０、中ゲート３１または右ゲート３２への遊技球の進入を検知する等の一定条件を満たすと再び前記龍の形をした役物９７５による報知が開始される構成とする。
【０２５３】
前記第７実施例においては、前記判定手段９４の判定結果に基づいて、今回の入賞の順序が遊技者にとって有利な順序でないと判定した後においても、前記蝶の形をした役物９８６による報知を行なう構成としたが、本発明はこれに限定されるものでなく一例として、今回の入賞の順序が遊技者にとって有利な順序でないと判定した後においては、前記蝶の形をした役物９８６による報知を行なわない形態を採用することが出来る。なお、前記蝶の形をした役物９８６による報知を停止した後には、前記左ゲート３０、中ゲート３１または右ゲート３２への遊技球の進入を検知する等の一定条件を満たすと再び前記蝶の形をした役物９８６による報知が開始される構成とする。
【産業上の利用可能性】
【０２５４】
遊技球の入球しやすい拡開状態と、遊技球の入球しにくい閉鎖状態を備えた複数の入賞装置を有するパチンコ遊技機において、遊技球が複数の進入穴へ進入した時および入賞装置へ入賞した時に、入賞装置の拡開状態と閉鎖状態とを変換する変換機構と、遊技球が複数の進入穴および入賞装置のいずれか１つに進入および入賞した場合においては、該複数の進入穴および入賞装置への進入順序またはおよび入賞順序が遊技者にとって有利かどうかについて異なった役物の動作態様によって報知する報知手段を備え、遊技者が報知された役物の動作態様により前記複数の侵入穴および入賞装置への進入順序またはおよび入賞順序が、遊技者にとって有利となる進入順序またはおよび入賞順序であったかどうかを知ることができるという用途に適用できる。
【図面の簡単な説明】
【０２５５】
【図１】本発明の第１実施例ないし第７実施例パチンコ遊技機を示す正面図である。
【図２】本第１実施例および第２実施例のパチンコ遊技機の遊技盤面を示す正面図である。
【図３】本第１実施例、第５実施例および第６実施例におけるパチンコ遊技機の遊技盤裏面に配設された、遊技球導出路、変換機構および入賞検知スイッチを示す裏面図である。
【図４】本第１実施例ないし第７実施例のパチンコ遊技機の第１種非電動役物および変換機構を示す部分拡大正面図および部分拡大斜視図である。
【図５】本第１実施例ないし第７実施例のパチンコ遊技機の第１種非電動役物および変換機構を示す部分拡大側面図および部分拡大正面図である。
【図６】本第１実施例ないし第７実施例のパチンコ遊技機の第２種非電動役物および変換機構を示す部分拡大正面図および部分拡大斜視図である。
【図７】本第１実施例ないし第７実施例のパチンコ遊技機の第２種非電動役物および変換機構を示す部分拡大側面図および部分拡大正面図である。
【図８】本第１実施例ないし第７実施例のパチンコ遊技機の第２種非電動役物および変換機構の要部を示す部分拡大正面図である。
【図９】本第１実施例ないし第７実施例のパチンコ遊技機の第２種非電動役物および変換機構の要部を示す部分拡大上面図である。
【図１０】本第１実施例ないし第７実施例のパチンコ遊技機の第２種非電動役物、左ゲート、中ゲート、右ゲート、下ゲートおよび変換機構の要部を示す部分拡大正面図および部分拡大断面図である。
【図１１】本第１実施例のパチンコ遊技機における報知する役物の動作態様を選択して報知するための制御ブロック図である。
【図１２】本第１実施例のパチンコ遊技機において、入賞検知スイッチと報知される役物の動作態様の対応関係を示す説明図である。
【図１３】本発明の第２実施例のパチンコ遊技機の遊技盤裏面に配設された、遊技球導出路、変換機構、入賞検知スイッチおよび報知手段を示す裏面図である。
【図１４】本第２実施例のパチンコ遊技機における、振分機構および判別機構を示す正面図である。
【図１５】本第２実施例のパチンコ遊技機における、振分機構の振分態様を説明するための説明図である。
【図１６】本第２実施例のパチンコ遊技機における、判別機構、報知手段および回転連絡機構を示す正面図および側面図である。
【図１７】本発明の第３実施例および第４実施例のパチンコ遊技機における報知する役物の動作態様を選択して報知するための制御ブロック図である。
【図１８】本第３実施例の役物の動作態様割振手段により選択される役物の動作態様を示した説明図である。
【図１９】本第３実施例、第４実施例および第７実施例のパチンコ遊技機の遊技盤裏面に配設された、遊技球導出路、変換機構および入賞検知スイッチを示す裏面図である。
【図２０】本発明の第４実施例の役物の動作態様割振手段により選択される役物の動作態様を示した説明図である。
【図２１】本第３実施例ないし第７実施例のパチンコ遊技機の遊技盤面を示す正面図である。
【図２２】本発明の第５実施例のパチンコ遊技機における報知する役物の動作態様を選択して報知するための制御ブロック図である。
【図２３】本第５実施例の役物の動作態様割振手段により選択される役物の動作態様を示した説明図である。
【図２４】本発明の第６実施例のパチンコ遊技機における報知する役物の動作態様を選択して報知するための制御ブロック図である。
【図２５】本第６実施例のパチンコ遊技機において、入賞検知スイッチによる入賞情報の出力から報知する役物の動作態様を選択する際の流れを示すフローチャート図である。
【図２６】本発明の第７実施例のパチンコ遊技機における報知する役物の動作態様を選択して報知するための制御ブロック図である。
【図２７】本第７実施例のパチンコ遊技機における、第２種非電動役物と開閉状態検知装置の位置関係を示す部分拡大側面図である。
【図２８】本第７実施例の入賞判定テーブルの詳細を示した説明図である。
【図２９】従来のパチンコ遊技機において、大当り予告を実施する役物、ゲーム表示機およびワープ球センサを示した正面図。
【符号の説明】
【０２５６】
１  変換機構
２  入賞検知手段
５  振分機構
６  判別機構
７  回転連絡機構
９  報知手段
１０ないし１１  第１種非電動役物
１２ないし１５  第２種非電動役物
１０Ｔないし１５Ｔ  変換機構
１６ないし１７  入賞口
２０ないし２７および２９  入賞検知スイッチ
２８および２８ａないし２８ｃ  ゲート進入検知スイッチ
３０  左ゲート
３１  中ゲート
３２  右ゲート
３３  下ゲート
４０および５０  左誘導部材
４１および５１  右誘導部材
４２および５２  ロック部材
４３および５３  第１のガイド部材
４４および５４  支持部材
４５および５５  第２のガイド部材
５６  連絡棒
５７  第１の左アーム
５８  第２の左アーム
５９  突出部材
８０  メイン制御基板
８１  ＣＰＵ
８２  ＲＯＭ
８３  ＲＡＭ
８４  役物動作声制御基板
８５  払出制御基板
８６、８６２および８６３  役物の動作態様割振手段
９１  入賞情報比較手段
９２  開閉状態検知手段
９３  入賞判定テーブル
９４  判定手段
９８  装飾部材
９９  人間の形をした役物
９９Ｍ、９９２Ｍおよび９９３Ｍ  ステッピングモータ  
１００  遊技盤
１１２ないし１１５  開閉状態検知装置
１２０  揺動部材
１２１  ローラ状部材
１２２  接点部材
２０２、２１２、２５２、２６２、２７２、２９２および３０２  遊技球導出路
２５２Ｐおよび２９２Ｐ  落下点
２５２Ｃおよび２９２Ｃ  受容部材
２５２Ｓおよび２９２Ｓ  制止部材
２７２  ヒンジ部
３５２Ｃおよび３９２Ｃ  受容部
３５２Ｇおよび３９２Ｇ  誘導部
９７３および９７５  龍の形をした役物
９７３Ｓおよび９７５Ｓ  ソレノイド
９７５ａおよび９７５ｂ  報知図柄
９８２  クリアプレート
９８３および９８６  蝶の形をした役物
９８３Ｍおよび９８６Ｍ  モータ
９９２および９９３  時計の形をした役物
９９５  回転式報知役物  
９９６  回転部材
９９６Ｇないし１００１Ｇ  回転ギア
９９６Ｂ、９９８Ｂおよび１０００Ｂ  連結ベルト
ＢＢおよびＧＧ  遊技球振分誘導路
ＣＬ  閉鎖落下点
ＯＰ  拡開落下点
Ｗ  遊技球振分誘導路壁
【図１】
2010125078.tif 000003
【図２】
2010125078.tif 000004
【図３】
2010125078.tif 000005
【図４】
2010125078.tif 000006
【図５】
2010125078.tif 000007
【図６】
2010125078.tif 000008
【図７】
2010125078.tif 000009
【図８】
2010125078.tif 000010
【図９】
2010125078.tif 000011
【図１０】
2010125078.tif 000012
【図１１】
2010125078.tif 000013
【図１２】
2010125078.tif 000014
【図１３】
2010125078.tif 000015
【図１４】
2010125078.tif 000016
【図１５】
2010125078.tif 000017
【図１６】
2010125078.tif 000018
【図１７】
2010125078.tif 000019
【図１８】
2010125078.tif 000020
【図１９】
2010125078.tif 000021
【図２０】
2010125078.tif 000022
【図２１】
2010125078.tif 000023
【図２２】
2010125078.tif 000024
【図２３】
2010125078.tif 000025
【図２４】
2010125078.tif 000026
【図２５】
2010125078.tif 000027
【図２６】
2010125078.tif 000028
【図２７】
2010125078.tif 000029
【図２８】
2010125078.tif 000030
【図２９】
2010125078.tif 000031